(57)【要約】  一以上の端末と、前記端末と通信可能な基地局と、を含む無線通信システムにおいて、前記基地局は、前記端末のうち所定のグループに属する端末との特定通信を制御する特定通信制御部と、前記所定のグループに限定しない通信である非特定通信を制御する非特定通信制御部と、警報メッセージを送信する際、前記非特定通信において前記警報メッセージの報知を開始する旨を示す通知を送信した後に、前記警報メッセージの報知を開始する警報メッセージ通知部と、を有し、前記端末は、前記非特定通信において前記警報メッセージの報知を開始する旨を示す通知を検知した場合に、前記基地局から報知される前記警報メッセージの受信を試みる警報メッセージ受信部、を有する無線通信ステム。
2012132015.tif 000002
【特許請求の範囲】
【請求項１】
一以上の端末と、前記端末と通信可能な基地局と、を含む無線通信システムにおいて、
前記基地局は、
前記端末のうち所定のグループに属する端末との特定通信を制御する特定通信制御部と、
前記所定のグループに限定しない通信である非特定通信を制御する非特定通信制御部と、
警報メッセージを送信する際、前記非特定通信において前記警報メッセージの報知を開始する旨を示す通知を送信した後に、前記警報メッセージの報知を開始する警報メッセージ通知部と、を有し、
前記端末は、
前記非特定通信において前記警報メッセージの報知を開始する旨を示す通知を検知した場合に、前記基地局から報知される前記警報メッセージの受信を試みる警報メッセージ受信部、を有することを特徴とする無線通信ステム。
【請求項２】
前記基地局は、
ネットワークから前記警報メッセージの送信依頼を受信した場合に前記特定通信の停止を示す通知を送信する特定通信停止通知部と、
前記特定通信の停止を示す通知を送信した後に、前記非特定通信において前記警報メッセージを報知する警報メッセージ通知部と、を有し、
前記端末は、
前記特定通信の停止を示す通知を検知した場合に、前記基地局から報知される前記警報メッセージの受信を試みる警報メッセージ受信部、を有することを特徴とする請求項１に記載の無線通信システム。
【請求項３】
前記端末のうち、前記基地局との特定通信が可能な端末は、
前記特定通信の停止を示す通知を検知した後に、前記基地局との通信方式が前記特定通信から前記非特定通信に変更されることを特徴とする請求項２に記載の無線通信システム。
【請求項４】
前記基地局は、前記警報メッセージを報知した後に、前記特定通信の開始を示す通知を送信する特定通信開始通知部、を有し、
前記端末は、前記特定通信の開始を示す通知を検知した場合に、前記特定通信の開始を示す通知を送信した基地局との前記特定通信の開始を試みる、ことを特徴とする請求項２又は３に記載の無線通信システム。
【請求項５】
前記基地局は、上位装置からの指示を受けた後に、前記特定通信開始通知部による前記特定通信の開始を示す通知の送信を開始する、ことを特徴とする請求項４に記載の無線システム。
【請求項６】
一以上の端末と、前記端末と通信可能な基地局と、を含む無線通信システムにおいて、
前記基地局は、
前記端末のうち所定のグループに属する端末との特定通信を制御する特定通信制御部と、
前記所定のグループに属する端末との前記特定通信に用いられる第１の識別情報とは異なる、前記特定通信に用いられる第２の識別情報を送信する第２の識別情報通知部と、
前記第２の識別情報を送信した後に、前記警報メッセージの報知を前記特定通信において開始する警報メッセージ通知部と、を有し、
前記端末は、
前記第２の識別情報の受信を検知した場合に、前記受信した第２の識別情報を用いて前記基地局との特定通信を開始し、前記基地局から報知される前記警報メッセージの受信を前記特定通信において試みる警報メッセージ受信部と、
を有することを特徴とする無線通信システム。
【請求項７】
前記基地局は、
前記警報メッセージを受信した場合、前記第１の識別情報を用いた前記特定通信において無線接続をしている端末に対して、前記第２の識別情報を用いた前記特定通信の接続に切り替える旨を示す変更通知を送信する通信方法変更通知部、を有し、
前記端末の前記警報メッセージ受信部は、前記変更通知を検知し、更に前記第２の識別情報を検知した場合に、前記第２の識別情報を用いた特定通信の無線接続に切り替えて、前記第２の識別情報を用いた特定通信において前記警報メッセージの受信を試みる、ことを特徴とする請求項６に記載の無線通信システム。
【請求項８】
前記基地局は、
前記警報メッセージを受信した場合、前記第１の識別情報を用いた前記特定通信において無線接続をしている端末に対して、前記変更通知を送信する前に、前記警報メッセージの内容を示す簡易な情報である第１警報情報を報知する、第１警報報知部、を有し、
前記端末は、
前記第１警報情報の報知を受けた場合に前記第１警報情報を受けた旨をユーザに通知する警報通知部を有し、
前記端末の警報メッセージ受信部は、前記変更通知を検知し、更に前記第２の識別情報を検知した場合に、前記第２の識別情報を用いた特定通信の無線接続に切り替えて、前記第２の識別情報を用いた特定通信において前記第２警報情報の受信を試みる、ことを特徴とする請求項７に記載の無線通信システム。
【請求項９】
一以上の端末と通信可能な基地局装置において、
前記端末のうち所定のグループに属する端末との特定通信を制御する特定通信制御部と、
前記所定のグループに限定しない通信である非特定通信を制御する非特定通信制御部と、
警報メッセージを送信する際、前記非特定通信において前記警報メッセージの報知を開始する旨を示す通知を送信した後に、前記警報メッセージの報知を開始する警報メッセージ通知部と、を有することを特徴とする基地局装置。
【請求項１０】
ネットワークから前記警報メッセージの送信依頼を受信した場合に前記特定通信の停止を示す通知を送信する特定通信停止通知部と、
前記特定通信の停止を示す通知を送信した後に、前記非特定通信において前記警報メッセージを報知する警報メッセージ通知部と、を有することを特徴とする請求項９に記載の基地局装置。
【請求項１１】
一以上の端末と通信可能な基地局装置において、
前記端末のうち所定のグループに属する端末との特定通信を制御する特定通信制御部と、
前記所定のグループに属する端末との前記特定通信に用いられる第１の識別情報とは異なる、前記特定通信に用いられる第２の識別情報を送信する第２の識別情報通知部と、
前記第２の識別情報を送信した後に、前記警報メッセージの報知を前記特定通信において開始する警報メッセージ通知部と、を有することを特徴とする基地局装置。
【請求項１２】
基地局と通信可能な端末装置において、
前記基地局により制御された所定のグループに限定しない通信である非特定通信を用いて、前記基地局から警報メッセージの報知を開始する旨を示す通知を検知した場合に、前記基地局から報知される前記警報メッセージの受信を試みる警報メッセージ受信部を有することを特徴とする端末装置。
【請求項１３】
前記警報メッセージ受信部は、
前記基地局から所定のグループに限定した特定通信の停止を示す通知を検知した場合に、前記基地局から報知される前記警報メッセージの受信を試みることを特徴とする請求項１２に記載の端末装置。
【請求項１４】
前記警報メッセージ受信部により前記特定通信の停止を示す通知を検知した後に、前記基地局との通信方式を前記特定通信から前記非特定通信に変更することを特徴とする請求項１３に記載の端末装置。
【請求項１５】
一以上の端末と、前記端末と通信可能な基地局と、を含む無線通信システムにおける無線通信方法において、
前記基地局は、前記端末のうち所定のグループに属する端末との特定通信を制御し、前記所定のグループに限定しない通信である非特定通信を制御し、警報メッセージを送信する際、前記非特定通信において前記警報メッセージの報知を開始する旨を示す通知を送信した後に、前記警報メッセージの報知を開始する、処理を有し、
前記端末は、前記非特定通信において前記警報メッセージの報知を開始する旨を示す通知を検知した場合に、前記基地局から報知される前記警報メッセージの受信を試みる、処理を有することを特徴とする無線通信方法。
【請求項１６】
一以上の端末と通信可能な基地局装置における無線通信方法において、
前記端末のうち所定のグループに属する端末との特定通信を制御し、前記所定のグループに限定しない通信である非特定通信を制御し、警報メッセージを送信する際、前記非特定通信において前記警報メッセージの報知を開始する旨を示す通知を送信した後に、前記警報メッセージの報知を開始する、処理を有することを特徴とする無線通信方法。
【請求項１７】
基地局と通信可能な端末装置における無線通信方法において、
前記基地局により制御された所定のグループに限定しない通信である非特定通信を用いて、前記基地局から警報メッセージの報知を開始する旨を示す通知を検知した場合に、前記基地局から報知される前記警報メッセージの受信を試みることを特徴とする無線通信方法。
【発明の詳細な説明】
【技術分野】
【０００１】
本発明は、無線通信システム、基地局装置、端末装置、及び無線通信方法に関する。
【背景技術】
【０００２】
現在では、３ＧＰＰ（３ｒｄ  Ｇｅｎｅｒａｔｉｏｎ  Ｐａｒｔｎｅｒｓｈｉｐ  Ｐｒｏｊｅｃｔ）において、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システム、ＬＴＥ（Ｌｏｎｇ  Ｔｅｒｍ  Ｅｖｏｌｕｔｉｏｎ）システム及びＬＴＥ−Ａｄｖａｎｃｅｄシステムの仕様が検討されている。【０００３】
Ｗ−ＣＤＭＡシステムは、既にＨＳＤＰＡ（Ｗ−ＣＤＭＡ  Ｒｅｌｅａｓｅ（以後、「Ｒｅｌ'」と略す）５）やＨＳＰＡ（ＨＳＤＰＡ＋ＨＳＵＰＡ  Ｗ−ＣＤＭＡ  Ｒｅｌ'６）として既にサービスされており、その改良版であるＲｅｌ'１０の検討が３ＧＰＰにおいて検討されている。また、ＬＴＥは、ＬＴＥ  Ｒｅｌ'８として仕様が策定され２０１１年を目処にサービスが開始されるといわれている。また、Ｒｅｌ'９の仕様もほぼ策定され、現在ＬＴＥシステムの発展形であるＬＴＥ−Ａｄｖａｎｃｅｄシステムの仕様がＬＴＥ  Ｒｅｌ'１０として検討されている。【０００４】
ＬＴＥ  Ｒｅｌ'９として検討されているものとして、ＨｅＮＢ（Ｈｏｍｅ  ｅ  Ｎｏｄｅ  Ｂ）がある。このＨｅＮＢは、フェムト（Ｆｅｍｔｏ）基地局とも呼ばれるものである。フェムトとは、そのサービス範囲（又はセル範囲）が、セル半径が十数ｋｍであるマクロセル、数ｋｍであるマイクロセル、１ｋｍ程度であるピコセルよりも狭いためフェムトと呼ばれている。また、従来では、Ｗ−ＣＤＭＡでもＨＮＢ（Ｈｏｍｅ  Ｎｏｄｅ  Ｂ）として導入が検討されている。（以下、ＨｅＮＢと総称する。）
ＨｅＮＢは、屋内や地下等外部からの電波の届きにくい場所（不感地帯）で、良好な無線通信を実現する方法として考えられたものである。また、同様の目的で導入が検討されているリレーは、上位装置（基地局）との無線で接続する。一方で、ＨｅＮＢは、屋内に配線された光回線等の有線で上位装置に接続する。よって、両者は上位装置との接続方法が大きく異なるものとなっている。【０００５】
このＨｅＮＢは、端的には、送信電力が小さく、使用可能な無線周波数が限られた、いわば小型の基地局と考えて良いものである。通常の基地局との違いは、通常の基地局が移動通信サービスを提供するオペレータ独自のネットワークに接続するものであることに対して、ＨｅＮＢは家庭等に敷設された公衆のネットワークに接続する点にある。【０００６】
よって、ＨｅＮＢを介して通信を実施する場合、伝送されるデータはオペレータの専用ネットワークから公衆ネットワークへのゲートウェイ（Ｇａｔｅ  Ｗａｙ、ＧＷ）を介して伝送される。よって、ＨｅＮＢへのハンドオーバ（Ｈａｎｄ  Ｏｖｅｒ（以下、必要に応じて「ＨＯ」と略称する）等の制御は、通常のオペレータのネットワークに閉じた場合のＨＯ制御とは異なるものとなる。【０００７】
また、ＨｅＮＢは、その設置場所として家庭や企業等の事務所等が考えられている。この設置環境では、ＨｅＮＢに接続する端末は特定なユーザである可能性が高い。例えば、事務所であればその企業に勤務するユーザで限られる可能性が高く、家庭であればその住人である家族に限られる可能性が高い。このように、設定環境からＨｅＮＢは、特定なユーザの端末のみ接続可能とすることで、セキュリティを強化することが可能となる。言い換えれば、ＨｅＮＢは、セキュリティ的に特定なユーザ（端末）のみ接続可能とすることが前提であると考えられる。【０００８】
加えて、ＨｅＮＢを設置するためには、上述のように光回線等の有線回線に接続する必要があることから、無償で不特定のユーザが接続可能とすることは、ボランティアとなり、回線接続費用や保守運営費用を考えた場合、経費的に厳しいと考えられる。【０００９】
このように特定な加入者（ユーザ）のみに接続を許可する仕組みをＣＳＧ（Ｃｌｏｓｅｄ  Ｓｕｂｓｃｒｉｂｅｒ  Ｇｒｏｕｐ、閉じられた加入者グループ）として検討されている。接続に際しては、ＨｅＮＢと端末間で接続を許可するための認証が行われる。具体的には、ＨｅＮＢが持つ特定なＣＳＧ  ＩＤを端末が持っているかどうかによって接続許可・不許可が決定される。また、接続しようとしているＨｅＮＢのＣＳＧ  ＩＤが、例えばＩＤ１であったとき、端末（ＵＥ）がそのＩＤ１を持っていれば接続が可能であり、持っていなければ接続は不許可となる。【００１０】
また、従来では、地震や津波等の緊急時に警報メッセージを端末に通知するシステムが存在する（例えば、特許文献１及び２参照）。また、緊急メッセージを端末に通知するシステムとして、ＥＴＷＳ（Ｅａｒｔｈｑｕａｋｅ  Ｔｓｕｎａｍｉ  Ｗａｒｎｉｎｇ  Ｓｙｓｔｅｍ）というシステムが、サービスが存在する。ＥＴＷＳは、例えばＦＯＭＡ等におけるエリアメールに相当するものであり、気象庁が配信する緊急地震速報等を即時に同報配信するサービスである。このエリアメールに相当するものとして、ＥＴＷＳ、ＰＷＳ（Ｐｕｂｌｉｃ  Ｗａｒｎｉｎｇ  Ｓｙｓｔｅｍ）やＣＭＡＳ（Ｃｏｍｍｅｒｃｉａｌ  Ｍｏｂｉｌｅ  Ａｌｅｒｔ  Ｓｙｓｔｅｍ）として３ＧＰＰで検討されている。（例えば、非特許文献１〜６参照）。【００１１】
ここで、ＬＴＥシステムにおけるＥＴＷＳの構成は、情報配信サーバであるＣＢＣ（Ｃｅｌｌ  Ｂｒｏａｄｃａｓｔ  Ｃｅｎｔｅｒ）が、ＭＭＥ（Ｍｏｂｉｌｉｔｙ  Ｍａｎａｇｅｍｅｎｔ  Ｅｎｔｉｔｙ）に接続され、更にＨｅＮＢに接続される。これにより、緊急配信サーバの配信時負荷軽減をと処理時間を低減することで配信時間を短縮している。また、ＬＴＥでは配信エリアを、Ｃｅｌｌレベルの配信エリア、ＴＡ（Ｔｒａｃｋｉｎｇ  Ａｒｅａ）レベルの配信エリア、ＥＡ（Ｅｍｅｒｇｅｎｃｙ  Ａｒｅａ）レベルの配信エリアの３種類を規定している。
【先行技術文献】
【特許文献】
【００１２】
【特許文献１】特表２０１０−５２５７５２号公報
【特許文献２】特開２００９−３０３２２７号公報
【非特許文献】
【００１３】
【非特許文献１】ＴＳ２２．１６８Ｖ９．０．０、"Ｅａｒｔｈｑｕａｋｅ  ａｎｄ  Ｔｓｕｎａｍｉ  Ｗａｒｎｉｎｇ  Ｓｙｓｔｅｍ（ＥＴＷＳ）  ｒｅｑｕｉｒｅｍｅｎｔｓ；Ｓｔａｇｅ１（Ｒｅｌｅａｓｅ９）"．
【非特許文献２】ＴＳ２２．２６８Ｖ９．２．１、"Ｐｕｂｌｉｃ  Ｗａｒｎｉｎｇ  Ｓｙｓｔｅｍ（ＰＷＳ）  ｒｅｑｕｉｒｅｍｅｎｔｓ（Ｒｅｌｅａｓｅ９）"
【非特許文献３】ＴＲ２３．８２８Ｖ８．０．０、"Ｅａｒｔｈｑｕａｋｅ  ａｎｄ  Ｔｓｕｎａｍｉ  Ｗａｒｎｉｎｇ  Ｓｙｓｔｅｍ（ＥＴＷＳ）  Ｒｅｑｕｉｒｅｍｅｎｔｓ  ａｎｄ  Ｓｏｌｕｔｉｏｎｓ；Ｓｏｌｕｔｉｏｎ  Ｐｌａｃｅｈｏｌｄｅｒ"
【非特許文献４】ＴＲ２２．９６８Ｖ９．０．０、"Ｓｔｕｄｙ  ｆｏｒ  ｒｅｑｕｉｒｅｍｅｎｔｓ  ｆｏｒ  ａ  Ｐｕｂｌｉｃ  Ｗａｒｎｉｎｇ  Ｓｙｓｔｅｍ（ＰＷＳ）  ｓｅｒｖｉｃｅ（Ｒｅｌｅａｓｅ９）"
【非特許文献５】田中威津馬，"次世代移動通信システムにおける緊急情報の同報配信高度化"，ＮＴＴ  ＤｏＣｏＭｏテクニカル・ジャーナル  Ｖｏ．１７，Ｎｏ．３
【非特許文献６】ＴＳ２９．１６８Ｖ８．４．０，"Ｃｅｌｌ  Ｂｒｏａｄｃａｓｔ  Ｃｅｎｔｒｅ  ｉｎｔｅｒｆａｃｅｓ  ｗｉｔｈ  ｔｈｅ  Ｅｖｏｌｖｅｄ  Ｐａｃｋｅｔ  Ｃｏｒｅ；Ｓｔａｇｅ３（Ｒｅｌｅａｓｅ８）"
【発明の概要】
【発明が解決しようとする課題】
【００１４】
上述したＥＴＷＳやＰＷＳメッセージ（以後、ＥＴＷＳメッセージと総称する）は、少しでも早く受信することによって、人命に関わる災害に対して退避できる可能性が高くなる。そのため、端末に対して基地局から少しでも早くＥＴＷＳメッセージを通知することが必要である。更に、一定以上の伝送品質で、誤ることなく確実に伝送することも必要でなる。即ち、再送が必要となるような伝送品質では意味がないということである。また、伝送品質を保持し、更にＥＴＷＳメッセージを通知するためには、端末における受信電力の最も高い基地局から通知することが最適である。【００１５】
しかしながら、例えば端末に最も近い基地局（又はＨＮＢ（Ｈｏｍｅ  Ｎｏｄｅ  Ｂ）、ＨｅＮＢ（Ｈｏｍｅ  ｅＮｏｄｅ  Ｂ）、以後、「ＨｅＮＢ」と総称する）は、接続する端末を制限するＣＳＧ（Ｃｌｏｓｅｄ  Ｓｕｂｓｃｒｉｂｅｒ  Ｇｒｏｕｐ）を形成しており、その端末がＣＳＧに属していない場合は、その基地局に接続できない。そのため、最悪の場合には、ＥＴＷＳメッセージを受信することができない。【００１６】
また、上述した内容は、フェムトセル（Ｆｅｍｔｏ  ｃｅｌｌ）に限らず、例えばＣＳＧを形成するリレー（Ｒｅｌａｙ  Ｎｏｄｅ、ＲＮ）に対しても同様な課題が生じる。【００１７】
上記課題に対して、上述した従来では、ＣＳＧでＥＴＷＳメッセージを報知することや、ＣＳＧを解除してＥＴＷＳメッセージを報知することは、３ＧＰＰ等でも提案がされていない。また、ＣＳＧと、Ｐｕｂｌｉｃ（ＣＳＧ等のような特定端末のみ接続を許可するのではなく、全ての端末からの接続を許可するような通信形態）の両方をサービスするＨｅＮＢが検討されているが、ＣＳＧのみで、かつＣＳＧを一時的に解除する技術は存在していない。【００１８】
そこで、開示の技術は、上記問題点に鑑みてなされたものであり、迅速で、より確実に緊急メッセージを受信可能とする無線通信システム、基地局装置、端末装置、及び無線通信方法を提供することを目的とする。
【課題を解決するための手段】
【００１９】
開示の一態様の無線通信システムは、一以上の端末と、前記端末と通信可能な基地局と、を含む無線通信システムにおいて、前記基地局は、前記端末のうち所定のグループに属する端末との特定通信を制御する特定通信制御部と、前記所定のグループに限定しない通信である非特定通信を制御する非特定通信制御部と、警報メッセージを送信する際、前記非特定通信において前記警報メッセージの報知を開始する旨を示す通知を送信した後に、前記警報メッセージの報知を開始する警報メッセージ通知部と、を有し、前記端末は、前記非特定通信において前記警報メッセージの報知を開始する旨を示す通知を検知した場合に、前記基地局から報知される前記警報メッセージの受信を試みる警報メッセージ受信部を有する。
【発明の効果】
【００２０】
開示の技術によれば、迅速で、より確実に緊急メッセージを受信可能とする。
【図面の簡単な説明】
【００２１】
【図１】無線システムの構成例を示す図。
【図２】第１の実施形態における基地局の通信処理例を示すフローチャート。
【図３】第１の実施形態における基地局の通信処理（変形例１）示すフローチャート。
【図４】第１の実施形態における端末における通信処理手順の一例を示すフローチャート。
【図５】第１の実施形態における基地局のブロック構成例を示す図。
【図６】第１の実施形態における基地局のブロック構成例（変形例１）を示す図。
【図７】第１の実施形態における基地局のブロック構成例（変形例２）を示す図。
【図８】第１の実施形態における端末のブロック構成例を示す図。
【図９】第１の実施形態における端末のブロック構成例（変形例１）を示す図。
【図１０】第１の実施形態における端末のブロック構成例（変形例２）を示す図。
【図１１】第１の実施形態における端末のブロック構成例（変形例３）を示す図。
【図１２】第１の実施形態に対応するハンドオーバのシーケンス。
【図１３】第１の実施形態におけるＥＴＷＳメッセージ配信の例について説明するためのシーケンスである。
【図１４】ＣＳＧでの通信を実施中のＨｅＮＢにハンドオーバなしで直接接続する例を示すシーケンス。
【図１５】変形例１におけるＣＳＧの再接続の一例を示すシーケンス。
【図１６】変形例２におけるＣＳＧの再接続の一例を示すシーケンス。
【図１７】第２の実施形態における基地局の通信処理例を示すフローチャート。
【図１８】第２の実施形態における基地局の通信処理例（変形例１）を示すフローチャート。
【図１９】第２の実施形態におけるソース基地局１００のブロック構成の一例を示す図。
【図２０】第２実施形態における基地局のブロック構成例（変形例１）を示す図。
【図２１】第２の実施形態における端末２００のブロック構成例を示す図。
【図２２】第２の実施形態における端末２００のブロック構成例（変形例１）を示す図。
【図２３】第２の実施形態におけるシーケンスの一例を示す図。
【図２４】第３の実施形態における基地局の通信処理例を示すフローチャート。
【図２５】第３の実施形態における基地局の通信処理例（変形例１）を示すフローチャート。
【図２６】第３の実施形態における基地局のブロック構成の一例を示す図。
【図２７】第４の実施形態における基地局の通信処理例を示すフローチャート。
【図２８】第４の実施形態における基地局の通信処理例（変形例１）を示すフローチャート。
【図２９】第４の実施形態における基地局のブロック構成の一例を示す図。
【図３０】第５の実施形態における基地局の通信処理例を示すフローチャート。
【図３１】第５の実施形態における基地局のブロック構成例を示す図。
【図３２】第５の実施形態におけるＥＴＷＳメッセージ送信後の制御手順の一例を示すシーケンス。
【符号の説明】
【００２２】
１０  無線システム
１００  基地局（ＨｅＮＢ）
１０１，２０１  アンテナ部
１０２，２０２  受信部
１０３，２０３  送信部
１０４  ＣＳＧアクセス制御部
１０５  ＥＴＷＳ制御部
１０６  ＨＯ制御部
１０７  ＨＯ制御信号作成部
１０８  パイロット部
１０９  ページング信号作成部
１１０  ＥＴＷＳメッセージ作成部
１１１  報知信号作成部
１１２，２２０  アクセス制御情報部
１１３  ＣＳＧアクセス制限解除制御部
１１４  ＣＳＧアクセス制限解除信号作成部
１１５  通信方式変更制御部
１１６  通信方式変更信号作成部
１１７  共通ＣＳＧ  ＩＤ
２００  端末
２０４  ＨＯ制御信号抽出部
２０５  ＨＯ制御部
２０６  送受信制御部
２０７  ＥＴＷＳメッセージ抽出部
２０８  ＥＴＷＳ受信制御部
２０９  メッセージ表示部
２１０  アラーム制御部
２１１  ページング信号抽出部
２１２  測定制御信号抽出部
２１３  測定制御信号制御部
２１４  無線回線品質信号作成部
２１５  無線回線品質測定部
２１６  報知信号抽出部
２１７  近接ＣＳＧ（ＨｅＮＢ）制御信号抽出部
２１８  ＣＳＧ接続制御部
２１９  近接ＣＳＧ情報作成部
２２１  ＣＳＧアクセス制限解除信号生成部
２２２  ＣＳＧアクセス制限開始信号抽出部
２２３  通信方式変更抽出部
２２４  共通ＣＳＧ  ＩＤ
３００  ＭＭＥ
４００  ＨｅＮＢ  ＧＷ
５００  ターゲット基地局
６００  ＣＢＣ
７００  ＣＢＥ
【発明を実施するための形態】
【００２３】
以下、図面に基づいて実施形態を説明する。なお、以下の説明では、警報メッセージとして、ＥＴＷＳを例として説明する。ＥＴＷＳは、地震の初期微動（Ｐ波）を検知し、検知したエリアに在圏している端末に対して地震が迫っていることを警報として一斉に通知する。３ＧＰＰでは、最短時間（緊急情報を受信してから約４秒）で端末に対して第１報を配信できなければならない。なお、通常Ｐ波よりもＳ波の方が、揺れが大きくかつＰ波よりも遅く到達する。その時間差は、震源から遠いほど大きく、震源に近いほど小さい。また、震源に近いほど、地震の揺れが大きいことから、Ｐ波を検知してから１秒でも早く配信を行うことで、多くの人命を救うことが可能となる。つまり、可能な限り早く第１報を配信することが望まれている。
【００２４】
なお、ＥＴＷＳにおける第１報（Ｐｒｉｍａｒｙ  Ｎｏｔｉｆｉｃａｔｉｏｎ）が、端末に配信されると端末のブザーを鳴動させたり、予め決められた定型のメッセージを画面に表示させたり等の処理が実施され、端末ユーザに注意を喚起する。なお、第１報では、「地震」、「津波」、「地震＋津波」、「試験」、「その他」等が規定されている。
【００２５】
更に、ＥＴＷＳでは、第１報では伝えきれない補足的な情報（震度、震源地等）を配信する第２報（Ｓｅｃｏｎｄａｒｙ  Ｎｏｔｉｆｉｃａｔｉｏｎ）も設定されている。Ｓｅｃｏｎｄａｒｙ  Ｎｏｔｉｆｉｃａｔｉｏｎでは、既存のエリアメールで提供されているものと同様のメッセージ、すなわち文字情報をネットワークから配信し、震源地や震度等の情報を端末に通知する。また、このメッセージは災害種別を示すＭｅｓｓａｇｅ  ＩｄｅｎｔｉｆｉｅｒとＳｅｒｉａｌ  Ｎｕｍｂｅｒが設定されている。更には、ＥＴＷＳは、国際ローミングにも対応しており、海外のオペレータがＥＴＷＳをサービスしている場合、海外においてもＥＴＷＳを受信することができる。なお、ＰＷＳは、ＥＴＷＳに米国等の要求条件を加えた形のものである。
【００２６】
＜第１の実施形態＞
＜無線システム構成＞
図１は、無線システムの構成例を示す図である。図１に示す無線システム１０は、ソース基地局（Ｓｏｕｒｃｅ  ＨｅＮＢ）１００と、端末（ＵＥ：Ｕｓｅｒ  Ｅｑｕｉｐｍｅｎｔ）２００−１〜２００−３と、ＭＭＥ（Ｍｏｂｉｌｉｔｙ  Ｍａｎａｇｅｍｅｎｔ  Ｅｎｔｉｔｙ、ネットワーク）３００と、ＨｅＮＢ  ＧＷ４００と、ターゲット基地局（Ｔａｒｇｅｔ  ＨｅＮＢ）５００と、ＣＢＣ６００と、ＣＢＥ（Ｃｅｌｌ  Ｂｒｏａｄｃａｓｔ  Ｅｎｔｉｔｙ）７００とを有する。なお、各構成の数や配置等についてはこれに限定されるものではない。
【００２７】
ここで、ソース基地局（ＨｅＮＢ）１００とターゲット基地局（Ｔａｒｇｅｔ  ＨｅＮＢ）５００とは、異なるデータを送信し、端末２００は、これを受信する（下り方向）。また、端末２００は、異なるデータをソース基地局（ｅＮＢ）１００とターゲット基地局（Ｔａｒｇｅｔ  ｅＮＢ）５００とに送信することもできる（上り方向）。なお、３ＧＰＰでは、ハンドオーバ元をソース（Ｓｏｕｒｃｅ）、ハンドオーバ先をターゲット（Ｔａｒｇｅｔ）と呼んでいる。したがって、第１の実施形態では、同様に２つの基地局を識別するものとする。
【００２８】
ＭＭＥ３００は、ソース基地局１００やターゲット基地局５００の各基地局の上位機器であり、ＣＢＣ６００からの災害時の情報（例えば、災害種別、メッセージ本文、配信エリア及びＰｒｉｍａｒｙ  Ｎｏｔｉｆｉｃａｔｉｏｎ等）を取得し、その情報を所定の基地局（ソース基地局１００とターゲット基地局５００）に送信する。
【００２９】
ＨｅＮＢ  ＧＷ４００は、得られたＭＭＥ３００からの情報を接続されている対象の基地局に送信する。
【００３０】
ＣＢＣ６００は、ＣＢＥ７００から受信した緊急メッセージ（例えば、緊急情報速報等）の配信要求に含まれている情報から、端末２００に配信するメッセージを作成し、配信エリアを特定する。また、ＣＢＣ６００は、特定した配信エリアに対して緊急メッセージを出力する。ＣＢＥ７００は、緊急メッセージの配信要求をＣＢＣ６００に出力する。
【００３１】
上述したようなシステム構成において、ＥＴＷＳメッセージを通知する場合、基地局は、一時的にＣＳＧを解除し、全ての端末２００−１〜２００−３に対してＥＴＷＳメッセージを報知可能に設定する。なお、全ての端末２００−１〜２００−３に対してＣＳＧを解除し、接続可能となったことをＥＴＷＳメッセージ送信に先立って報知してもよい。
【００３２】
＜第１の実施形態：基地局の通信処理＞
ここで、第１の実施形態における基地局の通信処理手順として、ＣＳＧによる通信の解除とＥＴＷＳ送信、及びＣＳＧによる通信の再開の処理内容について、具体的に説明する。図２は、第１の実施形態における基地局の通信処理例を示すフローチャートである。なお、図２の処理は、ＣＳＧによる通信の解除処理及びＥＴＷＳ送信の一例を示している。
【００３３】
図２に示す例において、ソース基地局（Ｓｏｕｒｃｅ  ＨｅＮＢ）１００は、例えばＣＳＧで端末２００−１と通信している際、ＭＭＥ３００から、所定のインターフェース等を介してＥＴＷＳメッセージの送信要求（Ｗｒｉｔｅ−Ｒｅｐｌａｃｅ  Ｗａｒｎｉｎｇ  Ｒｅｑｕｅｓｔ）を受信し（Ｓ０１）、ＥＴＷＳメッセージの配信エリアであることを認識させる。次に、図２に示す例では、ソース基地局１００は、ＥＴＷＳメッセージを配信することになった場合、ＥＴＷＳメッセージ送信を最優先とし、その時点で通信中の端末２００−１に対してＣＳＧによる通信を一旦停止することを通知する（Ｓ０２）。また、ソース基地局１００は、ＣＳＧによる通信を停止する（Ｓ０３）。
【００３４】
なお、この停止通知は、ページング信号としてページングチャネル（ＰＣＨ）を用いて通知してもよいし、システム制御情報（Ｓｙｓｔｅｍ  Ｉｎｆｏｒｍａｔｉｏｎ  Ｂｌｏｃｋ、ＳＩＢ）として、下り共有無線チャネル（Ｐｈｙｓｉｃａｌ  Ｄｏｗｎｌｉｎｋ  Ｓｈａｒｅｄ  ＣＨａｎｎｅｌ、ＰＤＳＣＨ）や報知チャネル（Ｐｈｙｓｉｃａｌ  Ｂｒｏａｄｃａｓｔ  ＣＨａｎｎｅｌ、ＰＢＣＨ）を用いて通知してもよい。
【００３５】
ここで、ＣＳＧによる通信を停止する旨の通知を受信した端末２００−１は、ＣＳＧによる通信を一時停止する。なお、ＥＴＷＳのページング信号にＣＳＧによる通信の一時停止のための制御信号の意味を持たせてもよく、別な共通制御信号としてＣＳＧによる通信の一時停止のための制御信号を通知してもよい。また、図２に示す例では、端末２００−１に対して通常の通信へ移行する要請を通知してもよい。
【００３６】
次に、ターゲット基地局５００は、ＣＳＧに属する端末２００のみと通信可能とするのではなく、全ての端末と通信可能な設定に変更し、その旨を配下の端末２００（例えば、端末２００−１〜２００−３）に対して報知する（Ｓ０４）。なお、報知には、例えば論理チャネルのＢＣＣＨ（Ｂｒｏａｄｃａｓｔ  Ｃｏｎｔｒｏｌ  ＣＨａｎｎｅｌ）を用いて、無線報知チャネル（ＰＢＣＨ）、又は、下り共有無線チャネル（ＰＤＳＣＨ）で送信してもよい。また、他の例としては、ページング信号として、ＰＣＨ（Ｐａｇｉｎｇ  ＣＨａｎｎｅｌ）で通知してもよい。
【００３７】
上述の処理により、通常通信の通知を受けた端末２００は、ＣＳＧで通信していた端末２００−１だけでなく、ＣＳＧで通信不可能な端末２００−２、２００−３も含めて、ターゲット基地局５００との通信を開始することができる。特に、それ以前にそのＨｅＮＢに接続していなかった端末２００は、ＣＳＧの解除を受けて、そのＨｅＮＢとの回線を設定する。次に、ターゲット基地局５００は、そのサービスエリア内にある端末２００に対して、ＥＴＷＳのページング信号を送信する。または、ＥＴＷＳメッセージを送信する。なお、ページング信号及びＥＴＷＳメッセージは、一定期間繰り返し送信する。
【００３８】
これにより、端末２００は、ＥＴＷＳのページング信号を受信し、ブザーを鳴らす等の処理を実施する。更に、ＥＴＷＳメッセージを受信し、端末の画面にそのメッセージを表示する。
【００３９】
＜第１の実施形態：基地局の通信処理（変形例１）＞
ここで、図３は、第１の実施形態における基地局の通信処理（変形例１）を示すフローチャートである。なお、図３の処理は、上述した図２に示したＣＳＧによる通信の解除処理及びＥＴＷＳ送信の処理の後に、ＣＳＧによる通信の再開処理が追加されている。ここで、図３におけるＳ１１〜Ｓ１４の処理は、上述したＳ０１〜Ｓ０４と同様の処理であるため、ここでの具体的な説明は省略する。
【００４０】
図３では、Ｓ１４の処理により、ＥＴＷＳのページング信号及びメッセージの送信期間が終了した場合、ソース基地局１００は、全ての端末に対してＣＳＧによるアクセス制御を再開する旨の通知を行う（Ｓ１５）。なお、通知は、例えば解除の場合と同様に、ページング信号としてページングチャネル（ＰＣＨ）を用いて通知してもよい。また、通知は、例えばシステム制御情報として、下り共有無線チャネル（ＰＤＳＣＨ）や報知チャネル（ＰＢＣＨ）を用いて通知してもよい。また、変形例１では、Ｓ１５の再開通知を行う基準として、例えば第２報の送信期間の終了を前提とするが、これに限定されるものではない。
【００４１】
その後、ソース基地局１００は、ＣＳＧに含まれる端末２００に対して通信を開始する（Ｓ１６）。
【００４２】
＜第１の実施形態：端末の通信処理＞
ここで、図４は、第１の実施形態における端末における通信処理手順の一例を示すフローチャートである。図４に示す例では、ソース基地局１００における上述した図３の処理に対応させた処理を示している。
【００４３】
端末２００は、ＣＳＧによる通信中に、ＣＳＧによる通信停止通知を受信すると（Ｓ２１）、通常通信へと移行制御を行う（Ｓ２２）。次に、端末２００は、ソース基地局１００から送信されたＥＴＷＳメッセージを受信する（Ｓ２３）。また、端末２００は、ソース基地局１００から送信されたＣＳＧによる通信再開通知を受信すると（Ｓ２４）、ＣＳＧによる通信へ移行し（Ｓ２５）、移行前の状態に戻すことができる。
【００４４】
これにより、ＣＳＧ等の制限なく、ターゲット基地局５００から端末２００のユーザに迅速にＥＴＷＳメッセージを通知することができる。なお、上述したＥＴＷＳメッセージの送信は、ソース基地局１００から行ってもよい。
【００４５】
＜第１の実施形態：ソース基地局１００のブロック構成例＞
ここで、上述した第１の実施形態におけるソース基地局１００のブロック構成例について、図を用いて説明する。なお、以下に示すソース基地局１００のブロック構成例は、ターゲット基地局５００であっても同様の構成とすることができる。そのため、以下の説明では、ターゲット基地局５００に関するブロック構成の説明は、省略する。
【００４６】
図５は、第１の実施形態における基地局のブロック構成例を示す図である。図５に示すソース基地局１００Ａは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１とを有する。アンテナ部１０１は、端末２００等とのデータの送受信を行う。
【００４７】
つまり、アンテナ部１０１は、例えば端末２００等から得られた信号を受信部１０２に出力し、送信部１０３から得られる信号を端末２００等や上位装置等に出力する。
【００４８】
受信部１０２は、受信無線部１０２−１と、復調・復号部１０２−２とを有する。受信部１０２では、アンテナ部１０１が取得した無線電波を受信無線部１０２により信号を抽出し、抽出した信号に対して復調・復号部１０２−２により復調・復号が行われる。
【００４９】
送信部１０３は、符号化・変調部１０３−１と、送信無線部１０３−２とを有する。送信部１０３は、パイロット部１０８から得られるパイロット信号、ＨＯ制御信号作成部１０７により得られるＨＯ制御信号、ページング信号作成部１０９により得られるページング信号、ＥＴＷＳメッセージ作成部１１０から得られるＥＴＷＳメッセージ、報知信号作成部１１１から得られる報知信号のうち、少なくとも１つのデータを取得する。また、送信部１０３は、取得したデータを符号化・変調部１０３−１により符号化・変調を行い、送信無線部１０３−２によりアンテナ部１０１から送信可能な無線周波数に変換する。
【００５０】
ＣＳＧアクセス制御部１０４は、アクセス制御情報部１１２に予め保持されたアクセス制御情報に基づいて、対応する端末２００の選定とＣＳＧアクセス制御を行う。なお、アクセス制御情報としては、例えばＣＳＧ  ＩＤ（第１の識別情報）等である。例えば、ＣＳＧで通信を開始（再開も含む）する場合、ＣＳＧアクセス制御部１０４は、ページングチャネル等を用いてＣＳＧ  ＩＤを端末２００に通知し、ＣＳＧに属する端末２００との間で無線回線を確立する。
【００５１】
ＥＴＷＳ制御部１０５は、上位（例えば、ＭＭＥ３００等）からＷｒｉｔｅ−Ｒｅｐｌａｃｅ  Ｗａｒｎｉｎｇ  Ｒｅｑｕｅｓｔを受信する。また、ＥＴＷＳ制御部１５は、ＣＳＧアクセス制御部１０４に対してＥＴＷＳのメッセージ送信を要求する。
【００５２】
また、ＥＴＷＳ制御部１０５は、ページング信号作成部１０９及びＥＴＷＳメッセージ部１１０に対してＥＴＷＳメッセージの作成制御信号を出力する。また、ＥＴＷＳ制御部１０５は、要求のあった上位に対してＷｒｉｔｅ−Ｒｅｐｌａｃｅ  Ｗａｒｎｉｎｇ  Ｒｅｓｐｏｎｓｅを行う。
【００５３】
ＨＯ制御部１０６は、上位からのハンドオーバ要求（ＨＯ  Ｒｅｑｕｅｓｔ）に対してＨＯ制御を行う。具体的には、ＨＯ制御部１０６は、例えば、ＨＯ制御信号作成部１０７に対して作成指示等を行う。また、ＨＯ制御部１０６は、ＨＯ要求のあった上位に対してハンドオーバ許可（ＨＯ  Ｒｅｑｕｅｓｔ  Ａｃｋ）を行う。
【００５４】
パイロット部１０８は、無線通信で用いられる目印となるパイロット信号を生成して出力する。これにより、受信側では、受信したパイロット信号の位相から送電波の送信位相を決定することができる。
【００５５】
ページング信号作成部１０９は、ＥＴＷＳ制御部１０５から得られた作成指示によりＥＴＷＳのページング信号を作成する。
【００５６】
ＥＴＷＳメッセージ作成部１１０は、ＥＴＷＳ制御部１０５から得られた作成指示によりＥＴＷＳメッセージを作成する。
【００５７】
報知信号作成部１１１は、ＣＳＧアクセス制御部１０４により得られるＣＳＧ  ＩＤ等に対応する報知信号を作成する。
【００５８】
つまり、図５に示す例では、ソース基地局１００において、例えば上位からＷｒｉｔｅ−Ｒｅｐｌａｃｅ  Ｗａｒｎｉｎｇ  Ｒｅｑｕｅｓｔを受信したＥＴＷＳ制御部１０５は、ＣＳＧアクセス制御部１０４に対してＥＴＷＳのメッセージ送信を要求する。また、要求されたＣＳＧアクセス制御部１０４は、ＥＴＷＳ制御部１０５に対してＥＴＥＳ送信の許可を通知する。許可通知を受けたＥＴＷＳ制御部１０５は、ページング信号作成部１０９に対してＥＴＷＳの第１報であるページング信号の作成を要求する。
【００５９】
要求を受けたページング信号作成部１０９は、ＥＴＷＳの第１報であるページング信号を作成し、符号化・変調部１０３−１において符号化され、変調された後、送信無線部１０３−２において無線周波数に変換された後、端末２００に送信する。なお、上述した図５に示すソース基地局１００Ａの構成は、図２に示すフローチャートに対応する処理を行うことができる。
【００６０】
＜第１の実施形態：ソース基地局１００のブロック構成（変形例１）＞
次に、第１の実施形態におけるソース基地局１００のブロック構成例（変形例１）について、図を用いて説明する。図６は、第１の実施形態における基地局のブロック構成例（変形例１）を示す図である。なお、上述した図５に示すブロックとほぼ同様の機能を有するブロックについては、同一の符号を付するものとし、ここでの具体的な説明は省略する。
【００６１】
図６に示すソース基地局１００Ｂは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１と、ＣＳＧアクセス制限解除制御部１１３と、ＣＳＧアクセス制限解除信号作成部１１４とを有する。つまり、図６の例では、上述した図５のブロック構成に対して、更にＣＳＧアクセス制限解除制御部１１３と、ＣＳＧアクセス制限解除信号作成部１１４とを有している。
【００６２】
なお、図６の構成では、ＣＳＧアクセス制限解除信号作成部１１４と、符号化・変調部１０３−１と、送信無線部１０３−２とを含む要素が、特定通信停止通知部に相当する。
【００６３】
また、図６の構成では、ページング信号作成部１０９と、ＥＴＷＳメッセージ作成部１１０と、符号化・変調部１０３−１と、送信無線部１０３−２とを含む要素が、警報メッセージ通知部に相当する。なお、ＥＴＷＳ制御部１０５は、警報メッセージ受信部も含めた構成である。
【００６４】
図６の基地局構成図において、上位からＷｒｉｔｅ−Ｒｅｐｌａｃｅ  Ｗａｒｎｉｎｇ  Ｒｅｑｕｅｓｔを受信したＥＴＷＳ制御部１０５は、ＣＳＧアクセス制御部１０４に対してＣＳＧでの通信を停止するために、ＣＳＧアクセス制御を解除するように要求する。
【００６５】
更に、ＣＳＧアクセス制御部１０４は、ＣＳＧアクセス制限解除制御部１１３に対して、ＣＳＧアクセス制御を解除するよう要求する。ＣＳＧアクセス制限解除制御部１１３は、ＣＳＧアクセス制限解除信号作成部１１４に対して解除信号の作成を依頼する。また、ＣＳＧアクセス制御部１０４は、ＨＯ制御部１０６に対して、端末２００がＣＳＧ通信から通常通信へとハンドオーバを実施できるよう要求する。
【００６６】
更に、ＥＴＷＳの第１報であるページング信号の送信と第２報であるＥＴＷＳメッセージの送信とが完了した後に、ＥＴＷＳ制御部１０５は、ＥＴＷＳ−Ｒｅｐｌａｃｅ  Ｗａｒｎｉｎｇ  Ｒｅｓｐｏｎｓｅを上位（例えば、ＭＭＥ等）に通知し、ＣＳＧアクセス制御部１０４に対して、ＣＳＧによる端末のアクセス制限の再開を要求する。なお、本変形例において、ＥＴＷＳの第１報であるページング信号の送信と第２報であるＥＴＷＳメッセージの送信とが完了した後に、上位装置（例えば、ＭＭＥ３００、ＨｅＮＢ  ＧＷ４００等）からの再開通知の受信を待つようにしてもよい。すなわち、ＥＴＷＳの第２報の送信を完了した後に上位装置からの再開通知の受信を検知したか否かの判定を行い、当該判定処理において再開通知の受信を検知したと判定されるまでＣＳＧによるアクセス制限の再開を待機させてもよい。
【００６７】
要求を受けたＣＳＧアクセス制御部１０４は、報知信号作成部１１１に対して、ＣＳＧによる通信の再開を報知すること、及びＣＳＧ通信のためのＣＳＧ  ＩＤを報知することを要求する。要求を受けた報知信号作成部１１１は、ＣＳＧ通信の再開を通知するＣＳＧ再開制御信号を作成し、符号化・変調部１０３−１において符号化され、変調された後、送信無線部１０３−２において無線周波数に変換された後、端末２００に送信する。
【００６８】
また、同様にＣＳＧ通信を実施するためのＣＳＧ  ＩＤを報知する信号を作成し、以下再開通知と同様に端末に送信する。ここでは、ＣＳＧ再開通知と、ＣＳＧ  ＩＤの通知を別な通知として説明したが、ＣＳＧ  ＩＤの通知をＣＳＧ再開通知と兼ねてもよい。なお、上述の処理は、上述した図３のフローに対応している。
【００６９】
また、上述した変形例１では、例えば、上述した特定通信の解除とは逆に、警報メッセージを報知した後に、特定通信の開始を示す通知を送信する機能を有していてもよい。この場合には、例えば、上述したＣＳＧアクセス制限解除制御部１１３と、ＣＳＧアクセス制限解除信号作成部１１４に対応させて、ＣＳＧアクセス制限開始制御部と、ＣＳＧアクセス制限開始信号作成部等を有する。なお、その場合には、ＣＳＧアクセス制限開始信号作成部と、符号化・変調部１０３−１と、送信無線部１０３−２とを含む要素が、特定通信開始通知部に相当する。なお、動作については、上述した特定通信解除通知とは反対に開始通知処理を行うため、ここでの具体的な説明は省略する。
【００７０】
＜第１の実施形態：ソース基地局１００のブロック構成例：変形例２＞
次に、第１の実施形態におけるソース基地局１００のブロック構成例（変形例２）について、図を用いて説明する。図７は、第１の実施形態における基地局のブロック構成例（変形例２）を示す図である。なお、上述した各構成例とほぼ同様の機能を有するブロックについては、同一の符号を付するものとし、ここでの具体的な説明は省略する。
【００７１】
図７に示すソース基地局１００Ｃは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１と、ＣＳＧアクセス制限解除制御部１１３と、ＣＳＧアクセス制限解除信号作成部１１４と、通信方式変更制御部１１５と、通信方式変更信号作成部１１６とを有する。つまり、図７の例では、上述した図６のブロック構成に対して、更に通信方式変更制御部１１５と、通信方式変更信号作成部１１６とを有している。変形例２では、図７に示す通信方式変更信号作成部１１６と、符号化・変調部１０３−１と、送信無線部１０３−２とを含む要素が、通信方法変更通知部に相当する。
【００７２】
図７の基地局構成図において、上位からＷｒｉｔｅ−Ｒｅｐｌａｃｅ  Ｗａｒｎｉｎｇ  Ｒｅｑｕｅｓｔを受信したＥＴＷＳ制御部１０５は、ＣＳＧアクセス制御部１０４に対してＣＳＧでの通信を停止するために、ＣＳＧアクセス制御を解除するよう要求する。
【００７３】
更に、ＣＳＧアクセス制御部１０４は、ＣＳＧアクセス制限解除制御部１１３に対して、ＣＳＧアクセス制御を解除するよう要求する。ＣＳＧアクセス制限解除制御部１１３は、通信方式変更制御部１１５に対して通常通信への変更を通知し、かつＣＳＧアクセス制限解除信号作成部１１４に対して解除信号の作成を依頼する。また、ＣＳＧアクセス制御部１０４は、ＨＯ制御部１０６に対して、端末がＣＳＧ通信から通常通信へとハンドオーバを実施できるよう要求する。
【００７４】
通信方式変更制御部１１５は、通信方式変更信号作成部１１６に対して変更するための信号の作成を依頼する。ここで、通信方式変更とは、例えばＣＳＧによる通信から通常の通信可能な端末を制限しない通信への変更等を意味する。また、ＣＳＧアクセス制限解除信号作成部１１４は、解除信号を作成する。作成された解除信号は、符号化・変調部１０３−１において符号化され、変調された後、送信無線部１０３−２において無線周波数に変換され、アンテナ部１０１から電波として出力される。
【００７５】
また、通信方式変更信号作成部１１６は、変更通知信号を作成する。作成された変更通知信号は、符号化・変調部１０３−１において符号化され、変調された後、送信無線部１０３−２において無線周波数に変換され、アンテナ部１０１から電波として出力される。
【００７６】
なお、上述したＣＳＧアクセス制限解除信号と通信変更信号とは、どちらか一方で他方を兼ねるようにしてもよい。
【００７７】
更に、ＥＴＷＳの第１報であるページング信号と、第２報であるＥＴＷＳメッセージの送信の完了を検出したＥＴＷＳ制御部１０５は、ＣＳＧアクセス制御部１０４に対してＣＳＧによる端末２００のアクセス制限の再開を要求する。要求を受けたＣＳＧアクセス制御部１０４は、報知信号作成部１１１に対して、ＣＳＧによる通信の再開を報知すること、及びＣＳＧ通信のためのＣＳＧ  ＩＤを報知することを要求する。要求を受けた報知信号作成部１１１は、ＣＳＧ通信の再開を通知するＣＳＧ再開制御信号を作成する。作成されたＣＳＧ再開制御信号は、符号化・変調部１０３−１において符号化され、変調された後、送信無線部１０３−２において無線周波数に変換された後、アンテナ部１０１から電波として出力される。
【００７８】
また、報知信号作成部１１１は、ＣＳＧ通信を実施するためのＣＳＧ  ＩＤを報知する報知信号を作成する。作成された報知信号は、符号化・変調部１０３−１において符号化され、変調された後、送信無線部１０３−２において無線周波数に変換された後、アンテナ部１０１から電波として出力される。
【００７９】
なお、上述の例では、ＣＳＧ再開の通知とＣＳＧ  ＩＤの通知とを別々の通知として説明したが、一度に両方の通知を行ってもよい。
【００８０】
更に、本変形例では、図７には図示していないが、ＣＳＧ通信を再開する際に、ＣＳＧアクセス制御部１０４から通信方式変更制御部１１５に対してＣＳＧ通信の再開を通知し、通信方式変更制御部１１５は通信方式変更信号作成部１１６に対して、ＣＳＧ通信の再開を通知する通信方式変更信号の作成を要求し、上述と同様に通信方式変更信号を端末へ送信してもよい
＜第１の実施形態：端末２００のブロック構成例＞
次に、第１の実施形態における端末２００のブロック構成例について図を用いて説明する。図８には、第１の実施形態における端末のブロック構成例を示す図である。
【００８１】
図８に示す端末２００Ａは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９とを有する。
【００８２】
アンテナ部２０１は、電波によりソース基地局１００（ターゲット基地局５００）等とのデータの送受信を行う。つまり、アンテナ部２０１は、例えばソース基地局１００（ターゲット基地局５００）等から得られた信号を受信部２０２に出力し、送信部２０３から得られる信号をソース基地局１００（ターゲット基地局５００）等に出力する。
【００８３】
受信部２０２は、受信無線部２０２−１と、復調・復号部２０２−２とを有する。受信部２０２では、アンテナ部２０１が取得した無線電波を受信無線部２０２により信号を抽出し、抽出した信号に対して復調・復号部２０２−２により復調・復号が行われる。
【００８４】
送信部２０３は、符号化・変調部２０３−１と、送信無線部２０３−２とを有する。送信部２０３は、無線回線品質信号作成部２１４−１，２１４−２から得られるＭｅａｓｕｒｅｍｅｎｔ  Ｒｅｐｏｒｔ（例えば、ＰＣＩ又はＣＧＩ，ＴＡＩ，Ｍｅｍｂｅｒ  Ｉｎｄｉｃａｔｉｏｎ等）や、近接ＣＳＧ情報作成部２１９から得られるＰｒｏｘｉｍｉｔｙ  Ｉｎｄｉｃａｔｉｏｎのうち、少なくとも１つのデータを取得する。また、送信部２０３は、取得したデータを符号化・変調部２０３−１により符号化・変調を行い、送信無線部２０３−２によりアンテナ部２０１から送信可能な無線周波数に変換する。
【００８５】
ＨＯ制御信号抽出部２０４は、復調・復号部２０２−２から得られる復調・復号された信号からハンドオーバに関する制御を行うＨＯ制御信号を抽出する。
【００８６】
ＨＯ制御部２０５は、ＣＳＧ接続制御部２１８からの制御情報に基づいて、ＨＯ制御信号抽出部２０４から抽出された信号に基づいて、接続する基地局（ＨｅＮＢ）の切替え等のハンドオーバ制御を行う。
送受信制御部２０６は、ＣＳＧ接続制御部２１８からの制御情報に基づいて、ＨＯ制御部２０５により制御された内容の送受信の制御や、受信部２０２の受信、送信部２０３の送信に対する制御を行う。
【００８７】
ＥＴＷＳメッセージ抽出部２０７は、ＣＳＧ接続制御部２１８からの制御情報に基づいて、ＥＴＷＳメッセージ（ＰＤＳＣＨ）を抽出する。また、ＥＴＷＳメッセージ抽出部２０７は、抽出されたＥＴＷＳメッセージをＥＴＷＳ受信制御部２０８に出力する。ＥＴＷＳ受信制御部２０８は、ＥＴＷＳメッセージ抽出部２０７により抽出されたＥＴＷＳメッセージをメッセージ表示部２０９に表示させ、またアラーム制御部２１０により端末２００のユーザに対して光や音、振動等により通知させる。また、ＥＴＷＳ受信制御部２０８は、ページング信号を抽出するための制御信号をページング信号抽出部２１１に出力する。
【００８８】
メッセージ表示部２０９は、ＥＴＷＳ受信制御部２０８からのＥＴＷＳメッセージをディスプレイ等の画面に表示する。なお、メッセージ表示部２０９は、例えば液晶画面等である。
【００８９】
アラーム制御部２１０は、ＥＴＷＳ受信制御部２０８からのＥＴＷＳ受信信号に基づいてＥＴＷＳメッセージを受信したことを知らせるためのアラームを通知する。なお、アラームは、例えば光や音、振動等がある。
【００９０】
ページング信号抽出部２１１は、ＣＳＧ接続制御部２１８からの制御信号に基づいて、受信部２０２により抽出された信号からページング信号（ＰＣＨ）を抽出する。
【００９１】
測定制御信号抽出部２１２は、受信部２０２が受信した信号から測定制御信号を抽出する。また、測定制御信号抽出部２１２は、測定制御信号を抽出された場合に、その信号を測定制御信号制御部２１３に出力する。
【００９２】
測定制御信号制御部２１３は、測定制御信号抽出部２１２から得られる測定制御信号に基づいて、無線回線品質測定部２１５に対して無線回線の品質測定を行わせる。また、測定制御信号制御部２１３は、無線回線品質測定部２１５からの品質測定結果を取得すると、無線回線品質信号作成部２１４にその品質測定結果を出力する。
【００９３】
無線回線品質信号作成部２１４−１は、測定制御信号制御部２１３からの品質結果に対応する品質信号（例えば、Ｍｅａｓｕｒｅｍｅｎｔ  Ｒｅｐｏｒｔ（ＰＣＩ）等も含む）を作成する。
【００９４】
また、無線回線品質信号作成部２１４−２は、ＣＳＧ接続制御部２１８からの品質結果に対応する品質信号（例えば、Ｍｅａｓｕｒｅｍｅｎｔ  Ｒｅｐｏｒｔ（ＣＧＩ，ＴＡＩ，Ｍｅｍｂｅｒ  Ｉｎｄｉｃａｔｉｏｎ）等も含む）を作成する。なお、図８の例では、無線回線品質信号作成部２１４−１，２１４−２は、別ブロック構成となっているが、これに限定されず、例えば同一構成であってもよい。
【００９５】
無線回線品質測定部２１５は、受信信号から無線回線の品質を測定する。なお、無線回線品質測定部２１５は、例えば、パケットロス、遅延、ゆらぎ、帯域等に基づいて品質を測定するが、これに限定されるものではない。また、無線回線品質測定部２１５は、測定された品質結果と、測定性Ｙ後信号制御部２１３と、ＣＳＧ接続制御部２１８に出力する。
【００９６】
報知信号抽出部２１６は、受信部２０２により受信した信号から報知信号（ＢＣＣＨ）を抽出する。また、報知信号抽出部２１６は、抽出された報知信号をＣＳＧ接続制御部２１８に出力する。
【００９７】
近接ＣＳＧ（ＨｅＮＢ）制御信号抽出部２１７は、受信部により受信した信号から近接ＣＳＧ（ＨｅＮＢ）制御信号（ＳＩ  Ｒｅｑｕｅｓｔ、Ｒｅｐｏｒｔ  Ｐｒｏｘｉｍｉｔｙ  Ｃｏｎｆｉｇｕｒａｔｉｏｎ）を抽出する。また、近接ＣＳＧ（ＨｅＮＢ）制御信号抽出部２１７は、抽出された近接ＣＳＧ（ＨｅＮＢ）制御信号をＣＳＧ接続制御部２１８に出力する。
【００９８】
ＣＳＧ接続制御部２１８は、端末２００におけるＣＳＧ接続を制御する。具体的には、ＣＳＧ接続制御部２１８は、報知信号抽出部２１６からの報知信号（例えばＣＳＧ  ＩＤ等）と、アクセス制御情報部２２０に予め保持されたアクセス制御情報（ＣＳＧ  ＩＤ等）とに基づいてＣＳＧ接続制御を行う。
【００９９】
また、ＣＳＧ制御部２１８は、無線回線品質測定部２１５から得られる品質結果に基づいて、無線回線品質信号作成部２１４−２に対して無線回線品質信号（Ｍｅａｓｕｒｅｍｅｎｔ  Ｒｅｐｏｒｔ（ＣＧＩ，ＴＡＩ，Ｍｅｍｂｅｒ  Ｉｎｄｉｃａｔｉｏｎ）等も含む）を作成させる。
【０１００】
また、ＣＳＧ制御部２１８は、近接ＣＳＧ（ＨｅＮＢ）制御信号抽出部２１７から得られる近接ＣＳＧ（ＨｅＮＢ）制御信号に基づいて、近接ＣＳＧ作成部２１９に近接ＣＳＧ情報を作成させるための制御信号を出力する。
【０１０１】
なお、ＣＳＧ制御部２１８は、上述したＣＳＧ制御等を行う際、例えばＨＯ制御部２０５、送受信制御部２０６、ＥＴＷＳメッセージ抽出部２０７、ページング抽出部２１１等を制御する。
【０１０２】
近接ＣＳＧ情報作成部２１９は、ＣＳＧ接続制御部２１８からの制御信号に基づいて近接ＣＳＧ情報（Ｐｒｏｘｉｍｉｔｙ  Ｉｎｄｉｃａｔｉｏｎ）を作成する。
【０１０３】
なお、図８の例では、ＥＴＷＳメッセージを抽出した後、即座にＣＳＧ接続制御が行われてＥＴＷＳメッセージを通知するための構成が示されている。
【０１０４】
つまり、図８の端末構成図において、端末２００Ａは、アンテナ部２０１からの受信信号を受信無線部２０２−１においてベースバンド信号に変更し、復調複号部２０２−２において復調・復号する。受信部２０２から出力された信号から、ＥＴＷＳの第１報であるページング信号をページング信号抽出部２１１において抽出し、ＥＴＷＳ受信制御部２０８に出力する。第１報を受信したＥＴＷＳ制御部２０８は、メッセージ表示部２０９に対してＥＴＷＳメッセージの表示を要求し、アラーム制御部２１０にアラームの鳴動を要求する。メッセージ表示部２０９は、ＥＴＷＳの第１報を表示し、アラーム制御部２１０は、アラームを鳴動してユーザに警告する（例えば、アラームを鳴らし、バイブレータで振動させる等）。
【０１０５】
なお、上記の端末２００Ａの例は、上述した基地局１００Ａの例に対応するものである。また、上述の端末２００Ａの構成は、図１に示す端末２００−１〜２００−３に対して適用することができる。
【０１０６】
また、上記の例において、端末２００の接続状態を元の状態に戻す場合には、例えば、ＥＴＷＳメッセージをメッセージ表示部２０９で表示した後、予め設定された時間経過後に元に戻るように制御してもよいが、これに限定されるものではない。
【０１０７】
＜第１の実施形態：端末２００のブロック構成例：変形例１＞
次に、第１の実施形態における端末のブロック構成例（変形例１）について図を用いて説明する。図９は、第１の実施形態における端末のブロック構成例（変形例１）を示す図である。なお、上述した端末２００Ａの例とほぼ同様の機能を有するブロックについては、同一の符号を付するものとし、ここでの具体的な説明は省略する。
【０１０８】
図９に示す端末２００Ｂは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号生成部２２１とを有する。
【０１０９】
つまり、変形例１の端末２００Ｂは、上述した端末２００Ａと比較すると、ＣＳＧアクセス制限解除信号生成部２２１が追加されている。なお、図９において、ＣＳＧアクセス制御解除信号抽出部２１１と、受信無線部２０２−１と、復調・復号部２０２−２とを含む要素が特定通信停止通知受信部に相当する。また、図９のＣＳＧ接続制御部２１８を含む要素が通信制御部に相当する。なお、通信制御部は、例えば所定のグループに属する端末との特定通信を制御する特定通信制御部と、所定のグループに限定しない通信である非特定通信を制御する非特定通信制御部とを含む。
【０１１０】
更に図９のＥＴＷＳメッセージ抽出部２０７と、ページング信号抽出部２１１と、受信無線部２１２−１と、復調・復号部２０２−２とを含む要素が警報メッセージ受信部に相当する。
【０１１１】
図９の端末構成図において、受信信号を受信無線部２０２−１においてベースバンド信号に変更し、復調・複号部２０２−２において復調し復号することで信号を作成する。作成された信号から、ＣＳＧアクセス制限解除信号抽出部２２１においてＣＳＧアクセス制限解除信号を抽出し、ＣＳＧ接続制御部２１８へ通知する。
【０１１２】
ＣＳＧ接続制御部２１８は、ＣＳＧアクセス制限解除信号抽出部２２１からの通知を受けて、ＨＯ制御部２０５に対して通常通信へハンドオーバするよう要求する。ＨＯ制御部２０５は、ハンドオーバを実施し、通常通信へ移行する。通常通信に移行後、ページング信号及びＥＴＷＳメッセージを受信する。変形例１によれば、ＣＳＧアクセス制限解除信号に基づいて信号を生成することができる。
【０１１３】
＜第１の実施形態：端末２００のブロック構成例：変形例２＞
次に、第１の実施形態における端末のブロック構成例（変形例２）について図を用いて説明する。図１０は、第１の実施形態における端末のブロック構成例（変形例２）を示す図である。なお、上述した各構成例とほぼ同様の機能を有するブロックについては、同一の符号を付するものとし、ここでの具体的な説明は省略する。
【０１１４】
図１０に示す端末２００Ｃは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号生成部２２１と、ＣＳＧアクセス制限開始信号抽出部２２２とを有する。
【０１１５】
つまり、変形例２の端末２００Ｃは、上述した変形例１の端末２００Ｂと比較すると、ＣＳＧアクセス制限開始信号抽出部２２２が追加されている。
【０１１６】
図１０の端末構成図において、アンテナ部２０１からの受信信号は、受信無線部２０２−１においてベースバンド信号に変更され、復調複号部２０２−２において復調・復号される。ＣＳＧアクセス制限解除信号抽出部２２１は、受信部２０２から出力された信号から、ＣＳＧアクセス制限解除信号を抽出し、ＣＳＧ接続制御部２１８に出力する。ＣＳＧ接続制御部２１８は、ＣＳＧアクセス制限解除信号を受けて、ＨＯ制御部２０５に対して通常通信へハンドオーバするよう要求する。ＨＯ制御部２０５は、ハンドオーバを実施し、通常通信へ移行する。通常通信に移行後、ページング信号及びＥＴＷＳメッセージを受信する。
【０１１７】
更に、変形例２において、ＣＳＧアクセス制限開始信号抽出部２２２は、受信部２０２から出力された信号からＣＳＧアクセス制限開始信号を抽出する。なお、ＣＳＧアクセス制限開始信号は、基地局において、警報メッセージを報知した後に、特定通信の開始を示す通知を送信する特定通信開始通知部にて生成された信号である。
【０１１８】
また、ＣＳＧアクセス制限開始信号抽出部２２２は、抽出したＣＳＧアクセス制限開始信号をＣＳＧ制御部２１８に出力する。また、変形例２において、報知信号抽出部２１６は、受信部２０２から出力された信号から、例えばＣＳＧ  ＩＤ等の報知信号（ＢＣＣＨ）を抽出し、ＣＳＧ制御部２１８へ通知する。
【０１１９】
ＣＳＧ接続制御部２１８は、ＣＳＧアクセス制限開始信号抽出部２２２からのＣＳＧアクセス制限開始通知を受けた後、報知信号抽出部２１６からの報知信号（ＣＳＧ  ＩＤ等）と、アクセス制御情報部２２０に予め保持されているアクセス制御情報とに基づいて、ＣＳＧ接続の可否を判断する。その後、ソース基地局１００とＣＳＧアクセス制御を実施し、ＣＳＧ接続を行う。
【０１２０】
＜第１の実施形態：端末２００のブロック構成例：変形例３＞
次に、第１の実施形態における端末のブロック構成例（変形例３）について図を用いて説明する。図１１は、第１の実施形態における端末のブロック構成例（変形例３）を示す図である。なお、上述した各構成例とほぼ同様の機能を有するブロックについては、同一の符号を付するものとし、ここでの具体的な説明は省略する。
【０１２１】
図１１に示す端末２００Ｄは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号生成部２２１と、通信方式変更抽出部２２３とを有する。
【０１２２】
つまり、変形例３の端末２００Ｄは、上述した変形例２の端末２００Ｃと比較すると、ＣＳＧアクセス制限開始信号抽出部２２２の代わりに通信方式変更信号抽出部２２３が追加されている。なお、図１１において、通信方式変更信号抽出部２２２と、受信無線部２０２−１と、復調・復号部２０２−２とを含む要素が通信方法変更通知受信部に相当する。
【０１２３】
図１１の端末構成図において、アンテナ部２０１からの受信信号は、受信無線部２０２−１においてベースバンド信号に変更され、復調複号部２０２−２において復調・復号される。ＣＳＧアクセス制限解除信号抽出部２２１は、受信部２０２から出力された信号からＣＳＧアクセス制限解除信号を抽出する。また、ＣＳＧアクセス制限解除信号抽出部２２１は、抽出されたＣＳＧアクセス制限解除信号をＣＳＧ接続制御部２１８に出力する。
【０１２４】
また、変形例３において、通信方式変更信号抽出部２２３は、受信部２０２から出力された信号から通信方式変更制御信号を抽出する。また、通信方式変更信号抽出部２２３は、抽出された通信方式変更制御信号をＣＳＧ接続制御部２１８に出力する。
【０１２５】
ＣＳＧ接続制御部２１８は、通信方式変更信号抽出部２２３により得られた通信方式変更制御信号に基づいてＣＳＧによる通信の停止を制御すると共に、ＨＯ制御部２０５に対して通常通信へのハンドオーバを実施するよう通知する。
【０１２６】
なお、これ移行の処理は、上述した変形例２の処理と同様に動作する。また、図１１には、ＣＳＧアクセス制御開始信号抽出部２２２の代わりに通信方式変更信号抽出部２２３を設けているが、これに限定されるものではなく、例えばＣＳＧ通信から通常通信への通信方式の変更に加え、通常通信からＣＳＧ通信への変更を通知することにし、ＣＳＧアクセス制御開始信号抽出部２２２と同等の機能を有していてもよい。
【０１２７】
＜上記第１の実施形態に対応するハンドオーバのシーケンス＞
次に、上述した第１の実施形態において、ＣＳＧ通信の解除を受けて、他の基地局に接続していた端末２００が、ソース基地局１００へハンドオーバする場合のシーケンスについて、図を用いて説明する。図１２は、第１の実施形態に対応するハンドオーバのシーケンスである。なお、図１２の例では、端末（ＵＥ）２００と、２つの基地局であるソース基地局（Ｓｏｕｒｃｅ  ｅＮＢ）１００と、ターゲット基地局（Ｔａｒｇｅｔ  ＨｅＮＢ）５００と、上位装置であるＭＭＥ３００と、ＨｅＮＢ  ＧＷ４００とを有する無線システムの場合について説明する。
【０１２８】
まず、ソース基地局１００は、隣接するＣＳＧセルの情報（Ｒｅｐｏｒｔ  Ｐｒｏｘｉｍｉｔｙ  Ｃｏｎｆｉｇｕｒａｔｉｏｎ）が端末２００に通知される（Ｓ３１）。なお、Ｐｒｏｘｉｍｉｔｙ  Ｃｏｎｆｉｇｕｒａｔｉｏｎは、ある基地局に隣接する基地局のリストである隣接セルリストとは異なる。
【０１２９】
次に、端末（ＵＥ）１００は、接続可能なＣＳＧリスト（例えば、Ｗｈｉｔｅ  ｌｉｓｔ）のＣＳＧ  ＩＤを持つフェムトセル（Ｆｅｍｔｏ  ｃｅｌｌ）に近づいたことを接続中の基地局（Ｓｏｕｒｃｅ  ｅＮＢ）１００に通知する（Ｓ３２）。
【０１３０】
ソース基地局１００は、端末２００がＲＡＴ（Ｒａｄｉｏ  Ａｃｃｅｓｓ  Ｔｅｃｈｎｏｌｏｇｙ）やＣＳＧが使用する周波数に対する測定条件等を持たない場合、接続中の基地局から測定条件等の制御情報（Ｍｅａｓｕｒｅｍｅｎｔ  Ｃｏｎｆｉｇｕｒａｔｉｏｎ）を通知する（Ｓ３３）。
【０１３１】
端末２００は、通知された制御情報を用いて測定した結果を、物理セルＩＤ（ＰＣＩ：Ｐｈｙｓｉｃａｌ  Ｃｅｌｌ  Ｉｄｅｎｔｉｆｉｅｒ）を含めて接続中のソース基地局１００に通知する（Ｓ３４）。
【０１３２】
ソース基地局１００は、Ｓ３４の処理により得られた情報から端末２００に対してシステム情報ＳＩ（Ｓｙｓｔｅｍ  Ｉｎｆｏｒｍａｔｉｏｎ）リクエストを行う（Ｓ３５）。
【０１３３】
ここで、ターゲット基地局５００は、論理ＣＨ（ｌｏｇｉｃａｌ  Ｃｈａｎｎｅｌ）のＢＣＣＨで、ＣＳＧ通信の解除をＨｅＮＢセルに存在する端末２００に対して報知する（Ｓ３６）。なお、無線チャネル（物理チャネル）は、ＰＢＣＨを用いて報知する。
【０１３４】
このＣＳＧ解除通知を受信した端末２００は、接続中のソース基地局１００に対してＨｅＮＢからの受信品質（例えば受信電界強度等の無線回線品質）を報告する（Ｓ３７）。
【０１３５】
報告を受けたソース基地局１００は、上位装置であるＭＭＥ３００を介して、一般回線へのゲートウェイ（Ｇａｔｅ  ｗａｙ）であるＨｅＮＢ  ＧＷ４００へハンドオーバ要求（ＨＯ  ｒｅｑｕｅｓｔ）を通知する（Ｓ３８、Ｓ３９）。更に、ＨｅＮＢ  ＧＷ４００は、ハンドオーバ先のＨｅＮＢであるターゲット基地局５００へＨＯを要求する（Ｓ４０）。
【０１３６】
ハンドオーバ要求を受信したターゲット基地局（ＨｅＮＢ）５００は、ＨＯの可否を判断し、可能と判断した場合は、上述した逆のルートでハンドオーバ許可（ＨＯ  ｒｅｑｕｅｓｔ  Ａｃｋ）をＨｅＮＢ  ＧＷ４００を介してＭＭＥ３００に通知する（Ｓ４１，Ｓ４２）。ＭＭＥ３００は、ターゲット基地局５００からのハンドオーバ許可を受信すると、ハンドオーバコマンドを、ソース基地局１００を介して端末２００に通知する（Ｓ４４）。その後、ＥＴＷＳメッセージの配信が行われる。
【０１３７】
＜ＥＴＷＳメッセージ配信の例＞
次に、上述した第１の実施形態におけるＥＴＷＳメッセージ配信の例について、シーケンスを用いて説明する。図１３は、第１の実施形態におけるＥＴＷＳメッセージ配信の例について説明するためのシーケンスである。
【０１３８】
図１３に示すシーケンスは、上述した図１２に示す端末（ＵＥ）２００と、２つの基地局であるソース基地局（Ｓｏｕｒｃｅ  ｅＮＢ）１００と、ターゲット基地局（Ｔａｒｇｅｔ  ＨｅＮＢ）５００と、上位装置であるＭＭＥ３００と、ＨｅＮＢ  ＧＷ４００との他に、ＣＢＣ（Ｃｅｌｌ  Ｂｒｏａｄｃａｓｔ  Ｃｅｎｔｅｒ）６００及びＣＢＥ（Ｃｅｌｌ  Ｂｒｏａｄｃａｓｔ  Ｅｎｔｉｔｙ）７００を有する無線システムの場合について説明する。
【０１３９】
まず、ＣＢＥ７００は、緊急情報速報の配信要求をＣＢＣに出力する（Ｓ５１）。次に、ＣＢＥ７００から受信したＣＢＣ６００は、要求に含まれている情報から、端末２００に配信するメッセージを作成し、配信エリアを特定する（Ｓ５２）。次に、ＣＢＣ６００は、特定したエリアのＭＭＥ４００に対して、例えば、災害種別、メッセージ本文、配信エリア及びＰｒｉｍａｒｙ  Ｎｏｔｉｆｉｃａｔｉｏｎ等の情報を含むＷｒｉｔｅ−Ｒｅｐｌａｃｅ  Ｗａｒｎｉｎｇ  Ｒｅｑｕｅｓｔ  ｍｅｓｓａｇｅを送信する（Ｓ５３）。
【０１４０】
Ｗｒｉｔｅ−Ｒｅｐｌａｃｅ  Ｗａｒｎｉｎｇ  Ｒｅｑｕｅｓｔ  ｍｅｓｓａｇｅを受信したＭＭＥ３００は、ＣＢＣ６００に対して受信したことを通知（Ｓ５４）する。また、ＣＢＣ６００は、ＣＢＥ７００に対して配信要求を受け付けて処理が開始されたことを示す緊急情報配信応答を通知する（Ｓ５５）。
【０１４１】
また、ＭＭＥ３００は、配信エリアを確認し（Ｓ５６）、ＴＡＩ（Ｔｒａｃｋｉｎｇ  Ａｒｅａ  Ｉｄｅｎｔｉｆｉｅｒ）のリストが含まれている場合は、該当するＴＡＩエリアに属するソース基地局１００にのみ、ＨｅＮＢ  ＧＷ４００を介してＷｒｉｔｅ−Ｒｅｐｌａｃｅ  Ｒｅｑｕｅｓｔ  ｍｅｓｓａｇｅを転送する（Ｓ５７，Ｓ５８）。なお、Ｓ５８の処理において、ＭＭＥ３００は、ＴＡＩのリストが設定されていない場合、そのＭＭＥ配下の全てのソース基地局１００に対してＷｒｉｔｅ−Ｒｅｐｌａｃｅ  Ｒｅｑｕｅｓｔ  ｍｅｓｓａｇｅを転送する。
【０１４２】
次に、ＭＭＥ３００からのＷｒｉｔｅ−Ｒｅｐｌａｃｅ  Ｒｅｑｕｅｓｔ  ｍｅｓｓａｇｅを受信したソース基地局１００は、Ｗｒｉｔｅ−Ｒｅｐｌａｃｅ  Ｒｅｑｕｅｓｔ  ｍｅｓｓａｇｅに設定されている情報を基に配信エリアを決定し（Ｓ５９）、決定した配信エリアに存在する端末（ＵＥ）１００に対してページング信号（ＥＴＷＳ）の送信（Ｓ６０）、及び報知情報による同報配信を行う（Ｓ６１）。
【０１４３】
また、ソース基地局１００は、送信が完了したとき、その結果をＭＭＥ３００に対してＷｒｉｔｅ−Ｒｅｐｌａｃｅ  Ｗａｒｎｉｎｇ  Ｒｅｓｐｏｎｓｅとして、ＨｅＮＢ  ＧＷ４００を介して返信する（Ｓ６２，Ｓ６３）。
【０１４４】
なお、上述の処理において、ソース基地局１００は、緊急情報の送信を開始する際に、ＥＴＷＳ  ｉｎｄｉｃａｔｉｏｎを設定したページング信号を端末に対して送信する。ＥＴＷＳに対応している端末は、端末２００の状態がＩｄｌｅ（待ち受け中）であるか、ＲＲＣ  ｃｏｎｅｃｔｅｄ（通信中）であるかに関係なく、Ｄｅｆａｕｌｔ  Ｐａｇｉｎｇ  Ｃｙｃｌｅ（例えば３２０ｍｓｅｃ，６４０ｍｓｅｃ，１．２８ｓｅｃ，２．５６ｓｅｃ）でページング信号の受信を試みる。そして、ページング信号にＥＴＷＳ  ｉｎｄｉｃａｔｉｏｎが設定されている場合、緊急情報の受信を開始する。なお、ＥＴＷＳ  ｉｎｄｉｃａｔｉｏｎは、全てのページング送信タイミングで繰り返し送信し、端末へ確実に届くようにされている。
【０１４５】
ここで、上述の例では、ＣＳＧ通信の解除を受けて、端末がそれまで接続していた基地局からＣＳＧ通信を解除したＨｅＮＢへハンドオーバを実施する場合を説明した。
【０１４６】
しかしながら、ＣＳＧ解除通知を受けるまで、他の基地局に接続していなかった場合が考えられる。その場合には、上述したハンドオーバに関する制御が必要ないため、例えば、上述した図５の構成において、ＨＯ制御部１０６及びＨＯ制御信号作成部１０７による処理が省略される。
【０１４７】
＜シーケンス：ハンドオーバなしの場合＞
ここで、図１４は、ＣＳＧでの通信を実施中のＨｅＮＢにハンドオーバなしで直接接続する例を示すシーケンスである。図１４の処理では、ターゲット基地局５００と、端末２００との間の処理を示している。
【０１４８】
ターゲット基地局（Ｔａｒｇｅｔ  ＨｅＮＢ）５００は、端末２００に対してＢＣＣＨとしてＣＧＩ（Ｃｅｌｌ  Ｇｌｏｂａｌ  Ｉｄｅｎｔｉｆｉｅｒ）、ＴＡＩ（Ｔｒａｃｋｉｎｇ  Ａｒｅａ  Ｉｄｅｎｔｉｆｉｅｒ）及びＣＳＧ  ＩＤ（共通）等のシステム情報を送信する（Ｓ７１）。
【０１４９】
端末２００は、ターゲット基地局５００から得られるＣＧＩ、ＴＡＩ、ＣＳＧ  ＩＤと、ＣＳＧのメンバーであるか否かを含んだ測定結果（Ｍｅａｓｕｒｅｍｅｎｔ  Ｒｅｐｏｒｔ）を、ターゲット基地局５００に通知する（Ｓ７２）。
【０１５０】
次に、ターゲット基地局５００は、受信したＣＳＧ  ＩＤとＳ７１で報知したＣＳＧ  ＩＤが一致するかを確認する。一致した場合、ターゲット基地局５００は、ＣＳＧ  ＩＤを有効であるとして適切なリソースを割り当てし（Ｓ７３）、接続許可を端末２００に送信する（Ｓ７４）。
【０１５１】
これにより、ハンドオーバなしで直接接続して上述したＥＴＷＳメッセージ配信を受けることができる。
【０１５２】
＜変形例１におけるＣＳＧ通信解除後に再びＣＳＧ通信を実施する例＞
ここで、ＥＴＷＳの第１報であるページング信号と第２報であるＥＴＷＳメッセージの送信の完了を検出したとき、ＣＳＧによる通信の再開を端末に通知する。
【０１５３】
ここで、図１５は、変形例１におけるＣＳＧの再接続の一例を示すシーケンスである。なお、図１５の例では、端末２００と、基地局２００とにおける制御例を示している。
【０１５４】
図１５の例では、最初にソース基地局１００からＣＳＧ通信再開通知を通知する（Ｓ８１）。その後ソース基地局１００は、端末２００に対してＢＣＣＨとしてＣＧＩ（Ｃｅｌｌ  Ｇｌｏｂａｌ  Ｉｄｅｎｔｉｆｉｅｒ）、ＴＡＩ（Ｔｒａｃｋｉｎｇ  Ａｒｅａ  Ｉｄｅｎｔｉｆｉｅｒ）及びＣＳＧ  ＩＤ等のシステム情報を送信する（Ｓ８２）。
【０１５５】
端末２００は、ソース基地局１００から得られるＣＧＩ、ＴＡＩ、ＣＳＧ  ＩＤと、ＣＳＧのメンバーであるか否かを含んだ測定結果（Ｍｅａｓｕｒｅｍｅｎｔ  Ｒｅｐｏｒｔ）を、ソース基地局１００に通知する（Ｓ８３）。
【０１５６】
次に、ソース基地局１００は、受信したＣＳＧ  ＩＤとＳ８２で報知したＣＳＧ  ＩＤが一致するかを確認する。一致した場合、ソース基地局１００は、ＣＳＧ  ＩＤを有効であるとして適切なリソースを割り当てし（Ｓ８４）、接続許可を端末２００に送信する（Ｓ８５）。
【０１５７】
＜変形例２におけるＣＳＧ通信解除後に再びＣＳＧ通信を実施する例＞
次に、図１６は、変形例２におけるＣＳＧの再接続の一例を示すシーケンスである。なお、図１６の例では、端末２００と、基地局２００とにおける制御例を示している。また、図１６の例は、図１５の例と比較すると、最初にソース基地局１００からＣＳＧ通信再開通知を通知した後（Ｓ９１）、通信方式変更信号を端末に送信している（Ｓ９２）。なお、その後のＳ９３〜Ｓ９６の処理は、上述したＳ８２〜Ｓ８５の処理と同様である。
【０１５８】
つまり、上述した第１の実施形態では、基地局から通信可能な端末に対して非特定通信による警報メッセージの報知を開始する旨を示す通知を送信した後に、警報メッセージの報知を開始することで、端末に対して迅速で確実に警報メッセージを通知することができる。
【０１５９】
＜第２の実施形態＞
次に、第２の実施形態について説明する。第２の実施形態では、ＣＳＧで端末２００と通信しているソース基地局１００において、ネットワーク（ＭＭＥ３００）から、所定のインターフェース等を介してＥＴＷＳ送信要求（Ｗｒｉｔｅ−Ｒｅｐｌａｃｅ  Ｗａｒｎｉｎｇ  Ｒｅｑｕｅｓｔ）を受信する。ソース基地局１００は、ＥＴＷＳメッセージの配信エリアであることを認識し、ＥＴＷＳメッセージを配信することになった場合、そのサービスエリア内にある全ての端末に対して通信を許容する特別なＣＳＧ  ＩＤ（例えば、共通ＣＳＧ  ＩＤ等）を用いてＥＴＷＳのページング信号及びメッセージを送信する。
【０１６０】
この特別なＣＳＧ  ＩＤは、通信サービス業者（ここでは、オペレータと呼ぶ）内の端末に共通であっても、オペレータを超えた全ての端末に共通であっても、国を越えて端末に共通であってもよい。
【０１６１】
なお、この特別なＣＳＧ  ＩＤは、端末が予め記憶しておいてもよく、また無線回線設定時にネットワークサイド又は基地局からシステム情報（ＳＩＢ）等として通知してもよい。特別なＣＳＧ  ＩＤを用いたＣＳＧで通信を実施する旨の通知を受信した端末２００は、この特別なＣＳＧ  ＩＤを用いてＨｅＮＢとの無線回線を確立する。
【０１６２】
また、確立後、ソース基地局１００は、上述した第１の実施形態と同様にそのソース基地局１００のサービスエリア内にある端末２００に対して、ＥＴＷＳのページング信号を送信、又は、ＥＴＷＳメッセージを送信する。なお、ページング信号及びＥＴＷＳメッセージは、一定期間繰り返し送信する。
【０１６３】
端末２００は、ＥＴＷＳのページング信号を受信し、ブザーを鳴らす等の処理を実施する。更に、ＥＴＷＳメッセージを受信し、端末の画面にそのメッセージを表示する。
【０１６４】
また、ＥＴＷＳのページング信号及びメッセージの送信期間が終了した場合、特別なＣＳＧ  ＩＤの使用を停止することをＨｅＮＢのサービスエリア内にある端末２００に対して通知する。その通知は、特別なＣＳＧ  ＩＤの使用開始の場合と同様に、ページング信号としてページングチャネル（ＰＣＨ）を用いてもよいし、システム制御情報として、下り共有無線チャネル（ＰＤＳＣＨ）や報知チャネル（ＰＢＣＨ）を用いてもよい。
【０１６５】
更に、ＨｅＮＢは、ＣＳＧで通信を再開するために、ＣＳＧ  ＩＤを、ページングチャネル等を用いて通知し、ＣＳＧに属する端末との間で無線回線を確立する。
【０１６６】
＜第２の実施形態：基地局の通信処理＞
ここで、第２の実施形態における基地局の通信処理手順として、特別なＣＳＧ  ＩＤを用いてＥＴＷＳを全ての端末に送信する例について、具体的に説明する。図１７は、第２の実施形態における基地局の通信処理例を示すフローチャートである。図１７において、ＥＴＷＳメッセージを上位から受信すると（Ｓ１０１）、ＣＳＧ  ＩＤを共通ＣＳＧ  ＩＤへ変更し（Ｓ１０２）、共通ＣＳＧ  ＩＤを端末に報知する（Ｓ１０３）。次に、端末接続許可（ハンドオーバ許可）を取得すると（Ｓ１０４）、ＣＳＧメッセージを報知する（Ｓ１０５）。なお、上述のＳ１０４の処理では、全ての端末が接続許可されるため、接続許可判定は実施されない。
【０１６７】
＜第２の実施形態：基地局の通信処理：変形例１＞
図１８は、第２の実施形態における基地局の通信処理例（変形例１）を示すフローチャートである。なお、図１８の例では、通常のＣＳＧ通信の再開処理も含む処理手順を示している。図１８に示す処理では、Ｓ１１１〜Ｓ１１５については、上述した図１７のＳ１０１〜Ｓ１０５の処理と同様であるため、ここでの具体的な説明は省略する。
【０１６８】
Ｓ１１５の処理が終了後、共通のＣＳＧ  ＩＤから通常時のＣＳＧ  ＩＤへ変更し（Ｓ１１６）、通常ＣＳＧ  ＩＤを報知する（Ｓ１１７）、この後、通常のＣＳＧ  ＩＤへの通信を再開する（Ｓ１１８）。
【０１６９】
＜第２の実施形態：ソース基地局１００のブロック構成例＞
次に、第２の実施形態におけるソース基地局１００のブロック構成例について図を用いて説明する。図１９は、第２の実施形態におけるソース基地局１００のブロック構成の一例を示す図である。なお、図１９に示す例では、上述した第１の実施形態における図５の構成とほぼ同様の機能を有するブロックについては、同一の符号を付するものとし、ここでの具体的な説明は省略する。
【０１７０】
図１９に示すソース基地局１００Ｄは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１とを有する。
【０１７１】
図１９の例では、上述した図５のソース基地局１００Ａと比較すると、新たに共通ＣＳＧ  ＩＤ１１７（第２の識別情報）を有する。つまり、第２の実施形態では、共通ＣＳＧ  ＩＤ１１７を用いてＣＳＧアクセス制限を解除する。したがって、ＥＴＷＳメッセージを送信することになった場合、ＣＳＧアクセス制御部１０４は、共通ＣＳＧ  ＩＤ１１７を報知信号作成部１１１へ送信する。報知信号作成部１１１は、共通ＣＳＧ  ＩＤ１１７を対象の端末２００に報知するための信号を生成し、生成された１１７を端末２００へ送信する。
【０１７２】
ここで、共通ＣＳＧ  ＩＤは、無線システム１０として共通のＣＳＧ  ＩＤとして予め端末２００に記録されていてもよく、またシステム情報として回線接続時に端末２００に通知されるものでもよいが、これに限定されるものではない。例えば、通信業者毎に独自のＣＳＧ  ＩＤでもよく、万国共通のＣＳＧ  ＩＤであってもよい。
【０１７３】
＜第２の実施形態：ソース基地局１００のブロック構成例：変形例１＞
ここで、図２０は、第２実施形態における基地局のブロック構成例（変形例１）を示す図である。図２０に示す例は、上述した第１の実施形態の変形例１（図６）と、ほぼ同様の機能を有するブロックについては、同一の符号を付するものとし、ここでの具体的な説明は省略する。
【０１７４】
図２０に示すソース基地局１００Ｅは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１と、ＣＳＧアクセス制限解除制御部１１３と、ＣＳＧアクセス制限解除信号作成部１１４とを有する。
【０１７５】
図２０の例では、図６と比較すると新たに共通ＣＳＧ  ＩＤ１１７を有する。つまり、図２０の基地局構成例については、ＣＳＧアクセス制御解除信号作成部１１３において、共通ＣＳＧ  ＩＤ１１７を元にＣＳＧ制御解除信号を作成し、端末２００に送信する。（なお、共通ＣＳＧ  ＩＤ１１７そのものをＣＳＧ制御解除信号としてもよい）、以下、上述と同様に動作し、ＥＴＷＳメッセージを受信する。
【０１７６】
また、ＥＴＷＳ制御部１０５は、ＥＴＷＳのページング信号の送信とＥＴＷＳメッセージの送信とが完了した後に、ＣＳＧアクセス制御部１０４へＥＴＷＳのページング信号及びＥＴＷＳメッセージ送信が終了したことを通知する。通知を受けたＣＳＧアクセス制御部１０４は、ＣＳＧ通信を再開するよう制御する。なお、再開の制御は、上述した第１の実施形態の変形例１と同様であるため、ここでの説明は、省略する。
【０１７７】
＜第２の実施形態：端末２００のブロック構成例＞
図２１は、第２の実施形態における端末２００のブロック構成例を示す図である。なお、上述した端末２００の構成例とほぼ同様の機能を有するブロックについては、同一の符号を付するものとし、ここでの具体的な説明は省略する。
【０１７８】
図２１に示す端末２００Ｅは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９とを有する。
【０１７９】
つまり、図２１に示す端末２００Ｅは、上述した第１の実施形態の端末２００Ａ（図８）と比較すると、共通ＣＳＧ  ＩＤ２２４が設けられている。図２１の構成において、報知信号抽出部２１６は、受信信号からＣＳＧ  ＩＤを抽出し、ＣＳＧ接続制御部２１８に出力する。
【０１８０】
ＣＳＧ  ＩＤの通知を受けたＣＳＧ接続制御部２１８は、共通ＣＳＧ  ＩＤ２２４と比較し、一致した場合、実質的にＣＳＧ通信が解除されたと認識し、共通ＣＳＧ  ＩＤ２２４を用いて、基地局（ＨｅＮＢ）に接続するよう制御する。
【０１８１】
更に、ＨＯ制御部２０５に対して、ＨＯの実施を要求し、ＨＯ制御部２０５はハンドオーバを実施し、ターゲット基地局５００（又はソース基地局１００）に接続する。その後。上述の同様にしてＥＴＷＳメッセージを受信する。
【０１８２】
＜第２の実施形態：端末２００のブロック構成例：変形例１＞
図２２は、第２の実施形態における端末２００のブロック構成例（変形例１）を示す図である。なお、上述した第２の実施形態における端末２００Ｅの構成例とほぼ同様の機能を有するブロックについては、同一の符号を付するものとし、ここでの具体的な説明は省略する。
【０１８３】
図２２に示す端末２００Ｆは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号生成部２２１とを有する。
【０１８４】
図２２の端末構成において、ＣＳＧアクセス制御解除信号抽出部２２１は、受信信号から共通ＣＳＧ  ＩＤを元に作成されたＣＳＧアクセス制御信号を抽出し、抽出したＣＳＧアクセス制御信号をＣＳＧ接続制御部２１８に出力する。
【０１８５】
ＣＳＧ接続制御部２１８は、予め記憶していた共通ＣＳＧ  ＩＤ２２４と比較し一致する場合、ＣＳＧ通信が解除されたと認識し、共通ＣＳＧ  ＩＤ２２４でＨｅＮＢへ接続するよう制御する。更に、ＨＯ制御部２０５に対して、ＨＯの実施を要求し、ＨＯ制御部２０５はハンドオーバを実施し、ソース基地局１００に接続する。以下、上述の同様にしてＥＴＷＳメッセージを受信する。
【０１８６】
＜第２の実施形態におけるシーケンス＞
次に、第２の実施形態におけるシーケンスについて説明する。図２３は、第２の実施形態におけるシーケンスの一例を示す図である。
【０１８７】
図２３の例では、端末（ＵＥ）２００と、２つの基地局であるソース基地局（Ｓｏｕｒｃｅ  ｅＮＢ）１００と、ターゲット基地局（Ｔａｒｇｅｔ  ＨｅＮＢ）５００と、上位装置であるＭＭＥ３００と、ＨｅＮＢ  ＧＷ４００とを有する無線システムの場合について説明する。
【０１８８】
まず、ソース基地局１００は、隣接するＣＳＧセルの情報（Ｒｅｐｏｒｔ  Ｐｒｏｘｉｍｉｔｙ  Ｃｏｎｆｉｇｕｒａｔｉｏｎ）が端末２００に通知される（Ｓ１２１）。なお、Ｐｒｏｘｉｍｉｔｙ  Ｃｏｎｆｉｇｕｒａｔｉｏｎは、ある基地局に隣接する基地局のリストである隣接セルリストとは異なる。
【０１８９】
次に、端末（ＵＥ）１００は、接続可能なＣＳＧリスト（例えば、Ｗｈｉｔｅ  ｌｉｓｔ）のＣＳＧ  ＩＤを持つフェムトセル（Ｆｅｍｔｏ  ｃｅｌｌ）に近づいたことを接続中の基地局（Ｓｏｕｒｃｅ  ｅＮＢ）１００に通知する（Ｓ１２２）。
【０１９０】
ソース基地局１００は、端末２００がＲＡＴやＣＳＧが使用する周波数に対する測定条件等を持たない場合、接続中の基地局から測定条件等の制御情報（Ｍｅａｓｕｒｅｍｅｎｔ  Ｃｏｎｆｉｇｕｒａｔｉｏｎ）を通知する（Ｓ１２３）。
【０１９１】
端末２００は、通知された制御情報を用いて測定した結果を、物理セルＩＤ（ＰＣＩ）を含んで接続中の基地局に通知する（Ｓ１２４）。
【０１９２】
ソース基地局１００は、端末２００に対して特定な物理セルＩＤ（ＰＣＩ）のシステム情報ＳＩを取得と報告が実行可能なように端末を設定する（Ｓ１２５）。
【０１９３】
ここで、ＨＯ先ＨｅＮＢであるターゲット基地局５００は、端末２００にＢＣＣＨで送信されるＣＧＩ、ＴＡＩ及びＣＳＧ  ＩＤ等のシステム情報を送信する（Ｓ１２６）。
【０１９４】
端末２００は、ＣＧＩ、ＴＡＩ、ＣＳＧ  ＩＤとＣＳＧのメンバーであるか否かを含んだ測定結果をＨＯ元基地局であるソース基地局１００に通知する（Ｓ１２７）。ソース基地局１００は、ＣＧＩとＣＳＧ  ＩＤを含んだＨａｎｄｏｖｅｒ  Ｒｅｑｕｅｓｔ  ｍｅｓｓａｇｅをＭＭＥ３００に出力する（Ｓ１２８）。なお、ターゲット基地局５００が、後述するＨｙｂｒｉｄセルの場合は、接続モード（ＣＳＧなのかＰｕｂｌｉｃなのか）も含めて送信する。
【０１９５】
ＭＭＥ３００は、受信したＨａｎｄｏｖｅｒ  Ｒｅｑｕｅｓｔ  ｍｅｓｓａｇｅに含まれるＣＳＧ  ＩＤのＣＳＧセルへ端末２００がハンドオーバするよう制御する（Ｓ１２９）。また、ＭＭＥ３００は、Ｓ１２９の処理において、端末２００に対するそのＣＳＧの署名を記憶する。
【０１９６】
ＭＭＥ３００は、受信したＨａｎｄｏｖｅｒ  Ｒｅｑｕｅｓｔ  ｍｅｓｓａｇｅに含まれるＣＳＧ  ＩＤのＣＳＧセルへ、ＨｅＮＢ  ＧＷ４００を介してＨａｎｄｏｖｅｒ  Ｒｅｑｕｅｓｔ  ｍｅｓｓａｇｅに出力する（Ｓ１３０、Ｓ１３１）。
【０１９７】
ターゲット基地局５００は、受信したＨａｎｄｏｖｅｒ  Ｒｅｑｕｅｓｔ  ｍｅｓｓａｇｅのＣＳＧ  ＩＤと、ターゲット基地局５００から報知したＣＳＧ  ＩＤが一致するかを確認し、一致した場合、適切なリソースを割り当てる（Ｓ１３２）。なお、Ｓ１３２の処理において、ＣＳＧ  Ｍｅｍｂｅｒｓｈｉｐ  ｓｔａｔｕｓがその端末がＣＳＧのメンバーであると示している場合、端末の優先順位付けが適用されてもよい。
【０１９８】
ターゲット基地局５００は、ＨｅＮＢ  ＧＷ４００を介してＭＭＥ３００へＨａｎｄｏｖｅｒ  Ｒｅｑｕｅｓｔ  Ａｃｋｎｏｗｌｅｄｇｅ  ｍｅｓｓａｇｅを送信する（Ｓ１３３、Ｓ１３４）。ＭＭＥ３００は、ソース基地局１００にＨａｎｄｏｖｅｒ  Ｃｏｍｍａｎｄ  ｍｅｓｓａｇｅを送信する（Ｓ１３５）。
【０１９９】
ソース基地局１００は、Ｈａｎｄｏｖｅｒ  Ｃｏｍｍａｎｄ  （ｍｏｂｉｌｉｔｙ  ｃｏｎｔｒｏｌ  ｉｎｆｏｒｍａｔｉｏｎ（モビリティ制御情報）を含むＲＲＣ  Ｃｏｎｎｅｃｔｉｏｎ  Ｒｅｃｏｎｆｉｇｕｒａｔｉｏｎ  ｍｅｓｓａｇｅ）を端末２００へ送信する（Ｓ１３６）。
【０２００】
このように、共通のＣＳＧ  ＩＤを用いることで、容易に通信することができる。更に、ＣＳＧ通信を再開する場合のシーケンスは、上述した第１の実施形態と同様であるため、ここでの説明は省略する。
【０２０１】
上述したように、第２の実施形態では、全ての端末かつ全てのエリアに共通のＣＳＧ  ＩＤを設定しておき、ＥＴＷＳメッセージを通知する場合は、共通ＣＳＧ  ＩＤを用いる。なお、共通ＣＳＧ  ＩＤは、端末に対して通知されているか、初期値として端末が持っていてもよい。
【０２０２】
＜第３の実施形態＞
次に、第３の実施形態について説明する。第３の実施形態では、ＣＳＧでの通信（以下ＣＳＧ  ｍｏｄｅと略す）と、通常通信（すなわち、特定端末のみ接続を許可するのではなく、全ての端末からの接続を許可する。いわばＰｕｂｌｉｃな通信方法。以下、Ｐｕｂｌｉｃ  ｍｏｄｅと略す）の両方を実施することが可能なＨｅＮＢ（以下、Ｈｙｂｒｉｄ  ＨｅＮＢと呼ぶ）を有する。つまり、第３の実施形態では、ネットワーク（例えば、ＭＭＥ３００）から、インターフェース等を介してＥＴＷＳ送信要求（Ｗｒｉｔｅ−Ｒｅｐｌａｃｅ  Ｗａｒｎｉｎｇ  Ｒｅｑｕｅｓｔ）を受信する。また、第３の実施形態では、ＥＴＷＳメッセージの配信エリアであることを認識する。ここで、ＥＴＷＳメッセージを配信することになった場合には、ＥＴＷＳメッセージ送信を最優先とし、その時点で通信中の端末２００に対してＣＳＧ  ｍｏｄｅを一旦停止し、Ｐｕｂｌｉｃ  ｍｏｄｅのみ実施する。
【０２０３】
これにより、その基地局のサービスエリア内にある端末にＥＴＷＳメッセージ送信を行う。なお、Ｈｙｂｒｉｄ  ＨｅＮＢでは、例えば、ＣＳＧ  ｍｏｄｅを優先し、無線リソースに余裕がある場合は、Ｐｕｂｌｉｃ  ｍｏｄｅを可能とする等の制御が実施される。すなわち、Ｈｙｂｒｉｄ  ＨｅＮＢでは、ＣＳＧに属する端末を優先的に接続するよう動作する。これは、例えば基地局（ＨｅＮＢ）の設置費用を負担する設置者が優先的に使用できるべきであるとの観点からＣＳＧに属する端末を優先的に接続させるためである。言い換えれば、ＣＳＧに属する端末に対して割り当てる無線リソースを確保し、無線リソースに余裕がある場合には、その余った無線リソースを用いてＰｕｂｌｉｃ  ｍｏｄｅでの運用とし、ＣＳＧに属さない他の端末の接続を可能とする。
【０２０４】
このようなＨｙｂｒｉｄ  ＨｅＮＢにおいて、ＥＴＷＳ等の緊急警報システムのメッセージを送信する際は、人命尊重の観点から、ＣＳＧ  ｍｏｄｅとＰｕｂｌｉｃ  ｍｏｄｅの運用の比率（すなわち、ＣＳＧ  ｍｏｄｅで使用する無線リソースとＰｕｂｌｉｃ  ｍｏｄｅで使用する無線リソースの比）を変更する。例えば、第３の実施形態では、ＣＳＧ  ｍｏｄｅとＰｕｂｌｉｃ  ｍｏｄｅとの比を、例えば０：１０等とする。なお、この場合は、ＣＳＧ  ｍｏｄｅが一旦停止することに相当する。また、ＣＳＧでの通信の停止手法については、第１の実施形態と同様である。
【０２０５】
なお、上述において無線リソースとは、ＬＴＥシステムでは時間領域及び周波数領域（すなわちサブキャリア）で構成されたグリッドであり、最小単位をＲＢ（Ｒｅｓｏｕｒｃｅ  Ｂｌｏｃｋ）と呼んでいる。
【０２０６】
＜第３の実施形態：基地局の通信処理＞
ここで、第３の実施形態における基地局の通信処理手順について、フローチャートを用いて具体的に説明する。図２４は、第３の実施形態における基地局の通信処理例を示すフローチャートである。図２４の処理手順では、まず、ソース基地局１００は、ＥＴＷＳメッセージを上位（例えば、ＭＭＥ３００）等から受信すると（Ｓ１４１）、次に、ＣＳＧによる通信のみの停止を通知する（Ｓ１４２）。また、ソース基地局１００は、ＣＳＧにより通信停止を通知し（Ｓ１４３）、ＣＳＧによる通信のみ停止を行う（Ｓ１４４）。その後、ソース基地局１００は、ＥＴＷＳメッセージを端末２００に報知する（Ｓ１４５）。
【０２０７】
＜第３の実施形態：基地局の通信処理：変形例１＞
ここで、第３の実施形態における基地局の通信処理手順（変形例１）について、フローチャートを用いて具体的に説明する。図２５は、第３の実施形態における基地局の通信処理例（変形例１）を示すフローチャートである。図２５は、第３の実施形態の変形例１について説明するためのフローチャートである。図２５においては、Ｓ１５１〜Ｓ１５５の処理は、上述した図２４におけるＳ１４１〜Ｓ１４５と同様の処理を行うため、ここでの説明は、省略する。
【０２０８】
ソース基地局１００は、Ｓ１４５の処理が終了後、ＣＳＧによる通信再開を端末２００に通知し（Ｓ１５６）、ＣＳＧによる通信を介しする（Ｓ１５７）。
【０２０９】
＜第３の実施形態：基地局のブロック構成例＞
次に、第３の実施形態における基地局のブロック構成例について、図を用いて説明する。図２６は、第３の実施形態における基地局のブロック構成の一例を示す図である。
【０２１０】
なお、図２６の基地局のブロック構成については、上述した各実施形態における基地局とほぼ同様の機能を有するブロックについては、同一の符号を付するものとし、ここでの具体的な説明は省略する。
【０２１１】
図２６に示すソース基地局１００Ｆは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１と、ＣＳＧアクセス制限解除制御部１１３と、ＣＳＧアクセス制限解除信号作成部１１４とを有する。
【０２１２】
図２６の基地局構成図において、ＥＴＷＳ制御部１０５がＥＴＷＳメッセージ送信の要求を受信した場合、ＣＳＧアクセス制御部１０４に対してＣＳＧ通信の解除を要求する。その後、上述した構成例と同様に、ＣＳＧ通信の解除を実施し、また端末２００に対してハンドオーバを要求する。その後、通常通信でページング信号（第１報）及びＥＴＷＳメッセージ（第２報）を端末２００へ送信する。
【０２１３】
つまり、第３の実施形態では、報知信号作成部１１１において、ＣＳＧとして認証された端末と、ＣＳＧに属さない端末（通信端末）との両方に対して報知信号を生成し、生成したそれぞれの信号を、送信部１０３を介して対応する端末に出力するようにすることができる。
【０２１４】
なお、ＣＳＧ通信の解除後、ＥＴＷＳのページング信号の送信及びＥＴＷＳメッセージの送信の終了を検知し、ＣＳＧ通信を再開する場合には、ＣＳＧアクセス制御部１０４から停止解除時の信号が、報知信号作成部１１１に出力される。報知信号作成部１１１は、報知信号を作成すると、ＣＳＧに属さない端末（通常端末）の送信データのみに出力する。
【０２１５】
つまり、第３の実施形態では、ＣＳＧ通信再開のための制御信号は、通常通信で伝送される。なお、第３の実施形態における端末２００の構成等については、上述した実施形態と同様であるため、ここでの具体的な説明は省略する。
【０２１６】
上述したように、第３の実施形態では、ＣＳＧを形成する基地局（ＨｅＮＢ）は、ＣＳＧに属さない端末に対しても通信可能なハイブリッドセル（Ｈｙｂｒｉｄ  Ｃｅｌｌ）へと状態を変更する。このとき、例えば、全ての端末に対して、ハイブリッドセルに移行し、接続可能となったことをＥＴＷＳメッセージ送信に先立って通知することができる。更に、第３の実施形態では、ＥＴＷＳメッセージの送信依頼を受信した基地局は、一時的にＣＳＧと通常通信の両者を実施するハイブリッド基地局（Ｈｙｂｒｉｄ  ＨｅＮＢ）として機能することができる。
【０２１７】
＜第４の実施形態＞
次に、第４の実施形態について説明する。第４の実施形態では、上述した第３の実施形態におけるＣＳＧ  ｍｏｄｅと、Ｐｕｂｌｉｃ  ｍｏｄｅとの両方を実施することが可能な基地局において、ページング信号として伝送される第１報はより緊急性が高いため、ＣＳＧ  ｍｏｄｅで通信中の端末にはＣＳＧで第１報を伝送し、ｐｕｂｌｉｃ  ｍｏｄｅで通信中の端末に対しては、通常通信で第１報を伝送する。
【０２１８】
すなわち、第１報は緊急避難のための通知であり、より迅速に通知することで最悪の事態の発生を防止するために、ＣＳＧ  ｍｏｄｅとＰｕｂｌｉｃ  ｍｏｄｅとの比（例えば、比を０：１０や２：８等）を変更しない。すなわち、第４の実施形態では、切り換えを実施しないようにする。
【０２１９】
続いて伝送される第２報については、第３の実施形態と同様に、ＣＳＧ  ｍｏｄｅを一旦停止し、それまでＣＳＧ  ｍｏｄｅの端末もＰｕｂｌｉｃ  ｍｏｄｅへ移行させ、全ての端末に対してＰｕｂｌｉｃ  ｍｏｄｅで第２報を伝送する。
【０２２０】
なお、第１報及び第２報は、上述した非特許文献５にその詳細が示されている。特に、第２報は、震源地や震度等の情報であり、避難に必要不可欠な情報ではないため、第１報と比較し速達性がない。したがって、上記のようにｍｏｄｅを切り換えてから報知しても問題ない。
【０２２１】
＜第４の実施形態：基地局の通信処理＞
ここで、第４の実施形態における基地局の通信処理手順について、フローチャートを用いて具体的に説明する。図２７は、第４の実施形態における基地局の通信処理例を示すフローチャートである。図２７の処理手順では、まず、ソース基地局１００は、ＥＴＷＳメッセージを上位から受信し（Ｓ１６１）、ＣＳＧへＥＴＷＳメッセージ第１報を報知する（Ｓ１６２）、また、通常端末へＥＴＷＳメッセージ第１報を報知する（Ｓ１６３）。なお、Ｓ１６２、Ｓ１６３の処理は、逆の順序でもよく、同時であってもよい。
【０２２２】
その後、ソース基地局１００は、ＣＳＧによる通信停止を通知し（Ｓ１６４）、ＣＳＧによる通信のみ停止する（Ｓ１６５）、次に、通常通信でＥＴＷＳメッセージ第２報をＣＳＧ、通常端末の両方に対して行う（Ｓ１６６）。
【０２２３】
＜第４の実施形態：基地局の通信処理：変形例１＞
ここで、第４の実施形態における基地局の通信処理手順（変形例１）について、フローチャートを用いて具体的に説明する。図２８は、第４の実施形態における基地局の通信処理例（変形例１）を示すフローチャートである。なお、図２８におけるＳ１７１〜Ｓ１７６の処理は、上述した図２７におけるＳ１６１〜Ｓ１６６と同様の処理であるため、ここでの説明は省略する。
【０２２４】
変形例１では、Ｓ１７６の処理が終了後、ソース基地局１００は、ＣＳＧによる通信再開を通知し（Ｓ１７７）、ＣＳＧによる通信を開始する（Ｓ１７８）。
【０２２５】
＜第４の実施形態：基地局のブロック構成例＞
次に、第４の実施形態におけるブロック構成例について図を用いて説明する。図
２９は、第４の実施形態における基地局のブロック構成の一例を示す図である。図２９における構成では、上述した第３の実施形態における図２６の基地局とほぼ同様の機能を有するブロックについては、同一の符号を付するものとし、ここでの具体的な説明は省略する。
【０２２６】
図２９に示すソース基地局１００Ｇは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１と、ＣＳＧアクセス制限解除制御部１１３と、ＣＳＧアクセス制限解除信号作成部１１４とを有する。
【０２２７】
図２９に示すＨｅＮＢの構成例において、ＥＴＷＳ制御部１０５によりＣＳＧ通信の解除要求を受けたＣＳＧアクセス制御部１０４は、上述したように、ＣＳＧ通信の解除通知を端末２００に送信するよう制御する。更に、ＣＳＧアクセス制御部１０４は、ＥＴＷＳ制御部１０５に対してＥＴＷＳの第１報及び第２報の送信を要求する。
【０２２８】
これを受けたＥＴＷＳ制御部１０５は、ＥＴＷＳの第１報であるページング信号をＣＳＧ通信及び通常通信の両方で送信するよう制御すると共に、ページング信号作成部１０９に対して第１報の作成を要求する。これを受けたページング信号作成部１０９は、第１報を作成し、ＣＳＧへのデータと、通常端末への送信データの両方に第１報を入れて送信する。
【０２２９】
また、ＥＴＷＳ制御部１０５は、通常通信でＥＴＷＳメッセージを送信するよう制御し、ＥＴＷＳメッセージ作成部１１０に対して第２報の作成を要求する。これを受けたＥＴＷＳメッセージ作成部１１０は、第２報を作成し、第２報を通常端末への送信データのみに入れて端末２００へ送信する。なお、第４の実施形態における端末２００の構成等については、上述した実施形態と同様であるため、ここでの具体的な説明は省略する。
【０２３０】
＜第５の実施形態：（ＣＳＧでの通信停止の継続と再開）＞
次に、第５の実施形態について説明する。上述した第１〜第４の実施形態においては、ＥＴＷＳの第２報の伝送が終了した場合、元のＣＳＧでの通信を再開することとして説明した。しかしながら、例えば第２報の内容が一定以上の震度等甚大な被害が想定されるものである場合には、基地局やＨｅＮＢの破壊や故障及び動作の停止等が生じる恐れが大きい。一方で、無線回線の確保は、その後の救助活動や行方不明者の所在確認等に利用される可能性があり、非常に重要なものである。そのため、稼働可能な基地局を多数確保し無線回線を確保することは重要である。
【０２３１】
そこで、第５の実施形態では、報じられる内容が一定以上の震度等甚大な被害が想定されるものである場合、ＣＳＧでの通信を再開せず、そのまま通常通信（すなわち、端末からの接続を許可する。いわばＰｕｂｌｉｃ）を継続する。
【０２３２】
また、基地局等の復旧により通常動作が可能となり無線回線が一定以上確保可能となった場合は、システムを制御するＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）等のネットワークからＣＳＧでの通信を基地局（ＨｅＮＢ）に通知する。
【０２３３】
通知を受けた基地局は、基地局のサービスエリア内の端末に対してＣＳＧ  ＩＤを通知する。通知を受けた端末は通知されたＣＳＧ  ＩＤと記憶しているＣＳＧ  ＩＤの照合を行い、一致する場合は、そのＨｅＮＢに対してＣＳＧのメンバーであることを含めた接続要求を通知する。
【０２３４】
また、接続要求を受けた基地局は、端末がＣＳＧのメンバーであることを確認し、無線回線の確立を行う。また、基地局と端末２００は、無線回線が確立した後、ＣＳＧで通信を行う。
【０２３５】
＜第５の実施形態：基地局の処理手順＞
ここで、第５の実施形態における基地局の処理手順について説明するが、処理手順の一例としては、例えば上述した第１の実施形態の実施例１（図４）と同様の処理を行うことができる。図３０は、第５の実施形態における基地局の通信処理例を示すフローチャートである。
【０２３６】
基地局の処理手順の一例を示す図である。図３０に示すように、ソース基地局１００は、ＥＴＷＳメッセージを、上位（例えば、ＭＭＥ３００）等から受信すると（Ｓ１８１）、ＣＳＧによる通信停止を通知する（Ｓ１８２）。
【０２３７】
通信停止を通知した後にＣＳＧによる通信を停止し（Ｓ１８３）、ＥＴＷＳメッセージを報知する（Ｓ１８４）。次に、ソース基地局１００は、報じられた内容が所定の条件に該当するか否かを判断する（Ｓ１８５）。例えば、報じられた内容が地震の震度に関する情報である場合、報じられた内容が一定以上の震度（例えば震度６強等）に該当するか否かを判断する。そして、報じられた内容が所定の条件に該当すると判断された場合（Ｓ１８５において、ＹＥＳ）、ＯＡＭ等のネットワークからのＣＳＧによる通信再開通知を受信するまで、ＣＳＧによる通信の停止を継続する（Ｓ１８６）。そして、ＣＳＧによる通信再開通知を受信すると（Ｓ１８７）、ＣＳＧによる通信再開を通知し（Ｓ１８８）、ＣＳＧによる通信を開始する（Ｓ１８９）。
【０２３８】
また、Ｓ１８５の処理において、報じられた内容が所定の条件に該当しない（例えば、報じられた内容が一定以上の震度ではなかった）場合（Ｓ１８５において、ＮＯ）、ＣＳＧによる通信の再開を通知し（Ｓ１８８）、ＣＳＧによる通信を開始する（Ｓ１８９）。
【０２３９】
＜第５の実施形態：基地局のブロック構成例＞
次に、第５の実施形態における基地局のブロック構成例について、図を用いて説明する。図３１は、第５の実施形態における基地局のブロック構成例を示す図である。
【０２４０】
なお、図３１に示す第５の実施形態では、上述した各実施形態における基地局とほぼ同様の機能を有するブロックについては、同一の符号を付するものとし、ここでの具体的な説明は省略する。
【０２４１】
図３１に示すソース基地局１００Ｈは、アンテナ部１０１と、受信部１０２と、送信部１０３と、ＣＳＧアクセス制御部１０４と、ＥＴＷＳ制御部１０５と、ＨＯ制御部１０６と、ＨＯ制御信号作成部１０７と、パイロット部１０８と、ページング信号作成部１０９と、ＥＴＷＳメッセージ作成部１１０と、報知信号作成部１１１と、ＣＳＧアクセス制限解除制御部１１３と、ＣＳＧアクセス制限解除信号作成部１１４とを有する。
【０２４２】
図３１に示すソース基地局１００Ｈにおいて、ＣＳＧ通信の解除についての処理は、上述した第１の実施形態と同様であるため省略する。
【０２４３】
図３１のソース基地局１００Ｈにおいて、ＥＴＷＳ制御部１０４がＥＴＷＳの第１報であるページング信号と第２報であるＥＴＷＳメッセージの送信の完了を検知すると、ＥＴＷＳ−Ｒｅｐｌａｃｅ  Ｗａｒｎｉｎｇ  ＲｅｓｐｏｎｓｅをＭＭＥへ返信する。
【０２４４】
これを受けたＭＭＥ３００は、基地局に対して通常通信の解除を要求するＣＳＧ機能停止解除通知を送信する。したがって、ＣＳＧアクセス制御部１０４は、上述した解除通知を受信することになる。ＣＳＧアクセス制御部１０４は、この解除通知を受信すると、ＣＳＧ通信を再開する。
【０２４５】
なお、第５の実施形態においてＣＳＧ通信を再開する場合には、ソース基地局１００Ｈにおいて、報じられた内容が所定の条件に該当するか否かを判断する。例えば、報じられた内容が地震の震度に関する情報である場合には、報じられた内容が一定以上の震度（例えば、震度６強等）に該当するか否かを判断する。そして、ソース基地局１００Ｈは、報じられた内容が所定の条件に該当すると判断した場合、ネットワーク等からのＣＳＧによる通信再開通知等を受信するまで、ＣＳＧによる通信の停止を継続する。また、ソース基地局１００Ｈは、ＣＳＧによる通信再開通知を受信すると、ＣＳＧによる通信再開を通知する。また、ソース基地局１００Ｈは、報じられた内容が所定の条件に該当しないと判断した場合、ＣＳＧによる通信再開を通知する。
【０２４６】
＜第５の実施形態：シーケンス＞
図３２は、第５の実施形態におけるＥＴＷＳメッセージ送信後の制御手順の一例を示すシーケンスである。
【０２４７】
なお、図３２において、Ｓ１９１〜Ｓ２０３の処理については、上述した図１３のＳ５１〜Ｓ６３の処理と同様であるため、ここでの説明は省略する。
【０２４８】
Ｓ２０３の処理が終了後、ＭＭＥ３００は、通常通信再開制御を行い（Ｓ２０４）、ＭＭＥ３００は、ＨｅＮＢ４００を介してソース基地局１００から端末にＣＳＧ通信再開通知を行う（Ｓ２０５，２０６）。次に、ソース基地局１００は、端末２００に対してＢＣＣＨとしてＣＧＩ、ＴＡＩ及びＣＳＧ  ＩＤ等のシステム情報を送信する（Ｓ２０７）。
【０２４９】
端末２００は、ソース基地局１００から得られるＣＧＩ、ＴＡＩ、ＣＳＧ  ＩＤと、ＣＳＧのメンバーであるか否かを含んだ測定結果（Ｍｅａｓｕｒｅｍｅｎｔ  Ｒｅｐｏｒｔ）を、ソース基地局１００に通知する（Ｓ２０８）。
【０２５０】
次に、ソース基地局１００は、受信したＣＳＧ  ＩＤとＳ２０７で報知したＣＳＧ  ＩＤが一致するかを確認する。一致した場合、ターゲット基地局５００は、ＣＳＧ  ＩＤを有効であるとして適切なリソースを割り当てし（Ｓ２０９）、接続許可を端末２００に送信する（Ｓ２１０）。
【０２５１】
つまり、第５の実施形態では、ＣＳＧ通信再開制御を基地局が実施するのではなく、基地局の上位であるＭＭＥ３００が実施している。
【０２５２】
なお、上述した各実施形態において、ＨｅＮＢが設けられていない構成であってもよい。上述した実施形態によれば、迅速にＥＴＷＳメッセージを受信可能となる。これにより、安全に退避可能となる。
【０２５３】
また、上述した実施例で説明した通信処理を実現するためのプログラムを記録媒体に記録することで、実施例での通信処理をコンピュータに実施させることができる。
【０２５４】
また、このプログラムを記録媒体に記録し、このプログラムが記録された記録媒体をコンピュータや携帯端末装置に読み取らせて、上述した制御処理を実現させることも可能である。なお、記録媒体は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【０２５５】
以上、実施例について詳述したが、特定の実施例に限定されるものではなく、特許請求の範囲に記載された範囲内において、種々の変形及び変更が可能である。また、上述した実施例の構成要素を全部又は複数を組み合わせることも可能である。
【図１】
2012132015.tif 000003
【図２】
2012132015.tif 000004
【図３】
2012132015.tif 000005
【図４】
2012132015.tif 000006
【図５】
2012132015.tif 000007
【図６】
2012132015.tif 000008
【図７】
2012132015.tif 000009
【図８】
2012132015.tif 000010
【図９】
2012132015.tif 000011
【図１０】
2012132015.tif 000012
【図１１】
2012132015.tif 000013
【図１２】
2012132015.tif 000014
【図１３】
2012132015.tif 000015
【図１４】
2012132015.tif 000016
【図１５】
2012132015.tif 000017
【図１６】
2012132015.tif 000018
【図１７】
2012132015.tif 000019
【図１８】
2012132015.tif 000020
【図１９】
2012132015.tif 000021
【図２０】
2012132015.tif 000022
【図２１】
2012132015.tif 000023
【図２２】
2012132015.tif 000024
【図２３】
2012132015.tif 000025
【図２４】
2012132015.tif 000026
【図２５】
2012132015.tif 000027
【図２６】
2012132015.tif 000028
【図２７】
2012132015.tif 000029
【図２８】
2012132015.tif 000030
【図２９】
2012132015.tif 000031
【図３０】
2012132015.tif 000032
【図３１】
2012132015.tif 000033
【図３２】
2012132015.tif 000034
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
一以上の端末と、前記端末と通信可能な基地局と、を含む無線通信システムにおいて、
前記基地局は、
前記端末のうち所定のグループに属する端末との特定通信を制御する特定通信制御部と、
前記所定のグループに限定しない通信である非特定通信を制御する非特定通信制御部と、
警報メッセージを送信する際、前記非特定通信において前記警報メッセージの報知を開始する旨を示す通知を送信した後に、前記警報メッセージの報知を開始する警報メッセージ通知部と、を有し、
前記端末は、
前記非特定通信において前記警報メッセージの報知を開始する旨を示す通知を検知した場合に、前記基地局から報知される前記警報メッセージの受信を試みる警報メッセージ受信部、を有することを特徴とする無線通信システム。
【請求項２】
前記基地局は、
ネットワークから前記警報メッセージの送信依頼を受信した場合に前記特定通信の停止を示す通知を送信する特定通信停止通知部と、
前記特定通信の停止を示す通知を送信した後に、前記非特定通信において前記警報メッセージを報知する警報メッセージ通知部と、を有し、
前記端末は、
前記特定通信の停止を示す通知を検知した場合に、前記基地局から報知される前記警報メッセージの受信を試みる警報メッセージ受信部、を有することを特徴とする請求項１に記載の無線通信システム。
【請求項３】
前記端末のうち、前記基地局との特定通信が可能な端末は、
前記特定通信の停止を示す通知を検知した後に、前記基地局との通信方式が前記特定通信から前記非特定通信に変更されることを特徴とする請求項２に記載の無線通信システム。
【請求項４】
前記基地局は、前記警報メッセージを報知した後に、前記特定通信の開始を示す通知を送信する特定通信開始通知部、を有し、
前記端末は、前記特定通信の開始を示す通知を検知した場合に、前記特定通信の開始を示す通知を送信した基地局との前記特定通信の開始を試みる、ことを特徴とする請求項２又は３に記載の無線通信システム。
【請求項５】
前記基地局は、上位装置からの指示を受けた後に、前記特定通信開始通知部による前記特定通信の開始を示す通知の送信を開始する、ことを特徴とする請求項４に記載の無線通信システム。
【請求項６】
一以上の端末と、前記端末と通信可能な基地局と、を含む無線通信システムにおいて、
前記基地局は、
前記端末のうち所定のグループに属する端末との特定通信を制御する特定通信制御部と、
前記所定のグループに属する端末との前記特定通信に用いられる第１の識別情報とは異なる、前記特定通信に用いられる第２の識別情報を送信する第２の識別情報通知部と、
前記第２の識別情報を送信した後に、警報メッセージの報知を前記特定通信において開始する警報メッセージ通知部と、を有し、
前記端末は、
前記第２の識別情報の受信を検知した場合に、前記受信した第２の識別情報を用いて前記基地局との特定通信を開始し、前記基地局から報知される前記警報メッセージの受信を前記特定通信において試みる警報メッセージ受信部と、
を有することを特徴とする無線通信システム。
【請求項７】
前記基地局は、
前記警報メッセージを受信した場合、前記第１の識別情報を用いた前記特定通信において無線接続をしている端末に対して、前記第２の識別情報を用いた前記特定通信の接続に切り替える旨を示す変更通知を送信する通信方法変更通知部、を有し、
前記端末の前記警報メッセージ受信部は、前記変更通知を検知し、更に前記第２の識別情報を検知した場合に、前記第２の識別情報を用いた特定通信の無線接続に切り替えて、前記第２の識別情報を用いた特定通信において前記警報メッセージの受信を試みる、ことを特徴とする請求項６に記載の無線通信システム。
【請求項８】
前記基地局は、
前記警報メッセージを受信した場合、前記第１の識別情報を用いた前記特定通信において無線接続をしている端末に対して、前記変更通知を送信する前に、前記警報メッセージの内容を示す簡易な情報である第１警報情報を報知する、第１警報報知部、を有し、
前記端末は、
前記第１警報情報の報知を受けた場合に前記第１警報情報を受けた旨をユーザに通知する警報通知部を有し、
前記端末の警報メッセージ受信部は、前記変更通知を検知し、更に前記第２の識別情報を検知した場合に、前記第２の識別情報を用いた特定通信の無線接続に切り替えて、前記第２の識別情報を用いた特定通信において第２警報情報の受信を試みる、ことを特徴とする請求項７に記載の無線通信システム。
【請求項９】
一以上の端末と通信可能な基地局装置において、
前記端末のうち所定のグループに属する端末との特定通信を制御する特定通信制御部と、
前記所定のグループに限定しない通信である非特定通信を制御する非特定通信制御部と、
警報メッセージを送信する際、前記非特定通信において前記警報メッセージの報知を開始する旨を示す通知を送信した後に、前記警報メッセージの報知を開始する警報メッセージ通知部と、を有することを特徴とする基地局装置。
【請求項１０】
ネットワークから前記警報メッセージの送信依頼を受信した場合に前記特定通信の停止を示す通知を送信する特定通信停止通知部と、
前記特定通信の停止を示す通知を送信した後に、前記非特定通信において前記警報メッセージを報知する警報メッセージ通知部と、を有することを特徴とする請求項９に記載の基地局装置。
【請求項１１】
一以上の端末と通信可能な基地局装置において、
前記端末のうち所定のグループに属する端末との特定通信を制御する特定通信制御部と、
前記所定のグループに属する端末との前記特定通信に用いられる第１の識別情報とは異なる、前記特定通信に用いられる第２の識別情報を送信する第２の識別情報通知部と、
前記第２の識別情報を送信した後に、前記警報メッセージの報知を前記特定通信において開始する警報メッセージ通知部と、を有することを特徴とする基地局装置。
【請求項１２】
基地局と通信可能な端末装置において、
前記基地局により制御された所定のグループに限定しない通信である非特定通信を用いて、前記基地局から警報メッセージの報知を開始する旨を示す通知を検知した場合に、前記基地局から報知される前記警報メッセージの受信を試みる警報メッセージ受信部を有することを特徴とする端末装置。
【請求項１３】
前記警報メッセージ受信部は、
前記基地局から所定のグループに限定した特定通信の停止を示す通知を検知した場合に、前記基地局から報知される前記警報メッセージの受信を試みることを特徴とする請求項１２に記載の端末装置。
【請求項１４】
前記警報メッセージ受信部により前記特定通信の停止を示す通知を検知した後に、前記基地局との通信方式を前記特定通信から前記非特定通信に変更することを特徴とする請求項１３に記載の端末装置。
【請求項１５】
一以上の端末と、前記端末と通信可能な基地局と、を含む無線通信システムにおける無線通信方法において、
前記基地局は、前記端末のうち所定のグループに属する端末との特定通信を制御し、前記所定のグループに限定しない通信である非特定通信を制御し、警報メッセージを送信する際、前記非特定通信において前記警報メッセージの報知を開始する旨を示す通知を送信した後に、前記警報メッセージの報知を開始する、処理を有し、
前記端末は、前記非特定通信において前記警報メッセージの報知を開始する旨を示す通知を検知した場合に、前記基地局から報知される前記警報メッセージの受信を試みる、処理を有することを特徴とする無線通信方法。
【請求項１６】
一以上の端末と通信可能な基地局装置における無線通信方法において、
前記端末のうち所定のグループに属する端末との特定通信を制御し、前記所定のグループに限定しない通信である非特定通信を制御し、警報メッセージを送信する際、前記非特定通信において前記警報メッセージの報知を開始する旨を示す通知を送信した後に、前記警報メッセージの報知を開始する、処理を有することを特徴とする無線通信方法。
【請求項１７】
基地局と通信可能な端末装置における無線通信方法において、
前記基地局により制御された所定のグループに限定しない通信である非特定通信を用いて、前記基地局から警報メッセージの報知を開始する旨を示す通知を検知した場合に、前記基地局から報知される前記警報メッセージの受信を試みることを特徴とする無線通信方法。
【手続補正２】
【補正対象書類名】明細書
【補正対象項目名】００１４
【補正方法】変更
【補正の内容】
【００１４】
上述したＥＴＷＳやＰＷＳメッセージ（以後、ＥＴＷＳメッセージと総称する）は、少しでも早く受信することによって、人命に関わる災害に対して退避できる可能性が高くなる。そのため、端末に対して基地局から少しでも早くＥＴＷＳメッセージを通知することが必要である。更に、一定以上の伝送品質で、誤ることなく確実に伝送することも必要である。即ち、再送が必要となるような伝送品質では意味がないということである。また、伝送品質を保持し、更にＥＴＷＳメッセージを通知するためには、端末における受信電力の最も高い基地局から通知することが最適である。
【手続補正３】
【補正対象書類名】明細書
【補正対象項目名】００２２
【補正方法】変更
【補正の内容】
【００２２】
１０  無線システム
１００  基地局（ＨｅＮＢ）
１０１，２０１  アンテナ部
１０２，２０２  受信部
１０３，２０３  送信部
１０４  ＣＳＧアクセス制御部
１０５  ＥＴＷＳ制御部
１０６  ＨＯ制御部
１０７  ＨＯ制御信号作成部
１０８  パイロット部
１０９  ページング信号作成部
１１０  ＥＴＷＳメッセージ作成部
１１１  報知信号作成部
１１２，２２０  アクセス制御情報部
１１３  ＣＳＧアクセス制限解除制御部
１１４  ＣＳＧアクセス制限解除信号作成部
１１５  通信方式変更制御部
１１６  通信方式変更信号作成部
１１７  共通ＣＳＧ  ＩＤ
２００  端末
２０４  ＨＯ制御信号抽出部
２０５  ＨＯ制御部
２０６  送受信制御部
２０７  ＥＴＷＳメッセージ抽出部
２０８  ＥＴＷＳ受信制御部
２０９  メッセージ表示部
２１０  アラーム制御部
２１１  ページング信号抽出部
２１２  測定制御信号抽出部
２１３  測定制御信号制御部
２１４  無線回線品質信号作成部
２１５  無線回線品質測定部
２１６  報知信号抽出部
２１７  近接ＣＳＧ（ＨｅＮＢ）制御信号抽出部
２１８  ＣＳＧ接続制御部
２１９  近接ＣＳＧ情報作成部
２２１  ＣＳＧアクセス制限解除信号抽出部
２２２  ＣＳＧアクセス制限開始信号抽出部
２２３  通信方式変更信号抽出部
２２４  共通ＣＳＧ  ＩＤ
３００  ＭＭＥ
４００  ＨｅＮＢ  ＧＷ
５００  ターゲット基地局
６００  ＣＢＣ
７００  ＣＢＥ
【手続補正４】
【補正対象書類名】明細書
【補正対象項目名】００２６
【補正方法】変更
【補正の内容】
【００２６】
＜第１の実施形態＞
＜無線システム構成＞
図１は、無線システムの構成例を示す図である。図１に示す無線システム（無線通信システム）１０は、ソース基地局（Ｓｏｕｒｃｅ  ＨｅＮＢ）１００と、端末（ＵＥ：Ｕｓｅｒ  Ｅｑｕｉｐｍｅｎｔ）２００−１〜２００−３と、ＭＭＥ（Ｍｏｂｉｌｉｔｙ  Ｍａｎａｇｅｍｅｎｔ  Ｅｎｔｉｔｙ、ネットワーク）３００と、ＨｅＮＢ  ＧＷ４００と、ターゲット基地局（Ｔａｒｇｅｔ  ＨｅＮＢ）５００と、ＣＢＣ６００と、ＣＢＥ（Ｃｅｌｌ  Ｂｒｏａｄｃａｓｔ  Ｅｎｔｉｔｙ）７００とを有する。なお、各構成の数や配置等についてはこれに限定されるものではない。
【手続補正５】
【補正対象書類名】明細書
【補正対象項目名】００２７
【補正方法】変更
【補正の内容】
【００２７】
ここで、ソース基地局（Ｓｏｕｒｃｅ  ＨｅＮＢ）１００とターゲット基地局（Ｔａｒｇｅｔ  ＨｅＮＢ）５００とは、異なるデータを送信し、端末２００は、これを受信する（下り方向）。また、端末２００は、異なるデータをソース基地局（Ｓｏｕｒｃｅ  ＨｅＮＢ）１００とターゲット基地局（Ｔａｒｇｅｔ  ＨｅＮＢ）５００とに送信することもできる（上り方向）。なお、３ＧＰＰでは、ハンドオーバ元をソース（Ｓｏｕｒｃｅ）、ハンドオーバ先をターゲット（Ｔａｒｇｅｔ）と呼んでいる。したがって、第１の実施形態では、同様に２つの基地局を識別するものとする。
【手続補正６】
【補正対象書類名】明細書
【補正対象項目名】００５１
【補正方法】変更
【補正の内容】
【００５１】
ＥＴＷＳ制御部１０５は、上位（例えば、ＭＭＥ３００等）からＷｒｉｔｅ−Ｒｅｐｌａｃｅ  Ｗａｒｎｉｎｇ  Ｒｅｑｕｅｓｔを受信する。また、ＥＴＷＳ制御部１０５は、ＣＳＧアクセス制御部１０４に対してＥＴＷＳのメッセージ送信を要求する。
【手続補正７】
【補正対象書類名】明細書
【補正対象項目名】００５２
【補正方法】変更
【補正の内容】
【００５２】
また、ＥＴＷＳ制御部１０５は、ページング信号作成部１０９及びＥＴＷＳメッセージ作成部１１０に対してＥＴＷＳメッセージの作成制御信号を出力する。また、ＥＴＷＳ制御部１０５は、要求のあった上位に対してＷｒｉｔｅ−Ｒｅｐｌａｃｅ  Ｗａｒｎｉｎｇ  Ｒｅｓｐｏｎｓｅを行う。
【手続補正８】
【補正対象書類名】明細書
【補正対象項目名】００５８
【補正方法】変更
【補正の内容】
【００５８】
つまり、図５に示す例では、ソース基地局１００において、例えば上位からＷｒｉｔｅ−Ｒｅｐｌａｃｅ  Ｗａｒｎｉｎｇ  Ｒｅｑｕｅｓｔを受信したＥＴＷＳ制御部１０５は、ＣＳＧアクセス制御部１０４に対してＥＴＷＳのメッセージ送信を要求する。また、要求されたＣＳＧアクセス制御部１０４は、ＥＴＷＳ制御部１０５に対してＥＴＷＳ送信の許可を通知する。許可通知を受けたＥＴＷＳ制御部１０５は、ページング信号作成部１０９に対してＥＴＷＳの第１報であるページング信号の作成を要求する。
【手続補正９】
【補正対象書類名】明細書
【補正対象項目名】００９５
【補正方法】変更
【補正の内容】
【００９５】
無線回線品質測定部２１５は、受信信号から無線回線の品質を測定する。なお、無線回線品質測定部２１５は、例えば、パケットロス、遅延、ゆらぎ、帯域等に基づいて品質を測定するが、これに限定されるものではない。また、無線回線品質測定部２１５は、測定された品質結果と、測定制御信号制御部２１３と、ＣＳＧ接続制御部２１８に出力する。
【手続補正１０】
【補正対象書類名】明細書
【補正対象項目名】０１０１
【補正方法】変更
【補正の内容】
【０１０１】
なお、ＣＳＧ制御部２１８は、上述したＣＳＧ制御等を行う際、例えばＨＯ制御部２０５、送受信制御部２０６、ＥＴＷＳメッセージ抽出部２０７、ページング信号抽出部２１１等を制御する。
【手続補正１１】
【補正対象書類名】明細書
【補正対象項目名】０１０４
【補正方法】変更
【補正の内容】
【０１０４】
つまり、図８の端末構成図において、端末２００Ａは、アンテナ部２０１からの受信信号を受信無線部２０２−１においてベースバンド信号に変更し、復調・復号部２０２−２において復調・復号する。受信部２０２から出力された信号から、ＥＴＷＳの第１報であるページング信号をページング信号抽出部２１１において抽出し、ＥＴＷＳ受信制御部２０８に出力する。第１報を受信したＥＴＷＳ制御部２０８は、メッセージ表示部２０９に対してＥＴＷＳメッセージの表示を要求し、アラーム制御部２１０にアラームの鳴動を要求する。メッセージ表示部２０９は、ＥＴＷＳの第１報を表示し、アラーム制御部２１０は、アラームを鳴動してユーザに警告する（例えば、アラームを鳴らし、バイブレータで振動させる等）。
【手続補正１２】
【補正対象書類名】明細書
【補正対象項目名】０１０８
【補正方法】変更
【補正の内容】
【０１０８】
図９に示す端末２００Ｂは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号抽出部２２１とを有する。
【手続補正１３】
【補正対象書類名】明細書
【補正対象項目名】０１０９
【補正方法】変更
【補正の内容】
【０１０９】
つまり、変形例１の端末２００Ｂは、上述した端末２００Ａと比較すると、ＣＳＧアクセス制限解除信号抽出部２２１が追加されている。なお、図９において、ＣＳＧアクセス制限解除信号抽出部２２１と、受信無線部２０２−１と、復調・復号部２０２−２とを含む要素が特定通信停止通知受信部に相当する。また、図９のＣＳＧ接続制御部２１８を含む要素が通信制御部に相当する。なお、通信制御部は、例えば所定のグループに属する端末との特定通信を制御する特定通信制御部と、所定のグループに限定しない通信である非特定通信を制御する非特定通信制御部とを含む。
【手続補正１４】
【補正対象書類名】明細書
【補正対象項目名】０１１１
【補正方法】変更
【補正の内容】
【０１１１】
図９の端末構成図において、受信信号を受信無線部２０２−１においてベースバンド信号に変更し、復調・復号部２０２−２において復調し復号することで信号を作成する。作成された信号から、ＣＳＧアクセス制限解除信号抽出部２２１においてＣＳＧアクセス制限解除信号を抽出し、ＣＳＧ接続制御部２１８へ通知する。
【手続補正１５】
【補正対象書類名】明細書
【補正対象項目名】０１１４
【補正方法】変更
【補正の内容】
【０１１４】
図１０に示す端末２００Ｃは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号抽出部２２１と、ＣＳＧアクセス制限開始信号抽出部２２２とを有する。
【手続補正１６】
【補正対象書類名】明細書
【補正対象項目名】０１１６
【補正方法】変更
【補正の内容】
【０１１６】
図１０の端末構成図において、アンテナ部２０１からの受信信号は、受信無線部２０２−１においてベースバンド信号に変更され、復調・復号部２０２−２において復調・復号される。ＣＳＧアクセス制限解除信号抽出部２２１は、受信部２０２から出力された信号から、ＣＳＧアクセス制限解除信号を抽出し、ＣＳＧ接続制御部２１８に出力する。ＣＳＧ接続制御部２１８は、ＣＳＧアクセス制限解除信号を受けて、ＨＯ制御部２０５に対して通常通信へハンドオーバするよう要求する。ＨＯ制御部２０５は、ハンドオーバを実施し、通常通信へ移行する。通常通信に移行後、ページング信号及びＥＴＷＳメッセージを受信する。
【手続補正１７】
【補正対象書類名】明細書
【補正対象項目名】０１２１
【補正方法】変更
【補正の内容】
【０１２１】
図１１に示す端末２００Ｄは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号抽出部２２１と、通信方式変更信号抽出部２２３とを有する。
【手続補正１８】
【補正対象書類名】明細書
【補正対象項目名】０１２２
【補正方法】変更
【補正の内容】
【０１２２】
つまり、変形例３の端末２００Ｄは、上述した変形例２の端末２００Ｃと比較すると、ＣＳＧアクセス制限開始信号抽出部２２２の代わりに通信方式変更信号抽出部２２３が追加されている。なお、図１１において、通信方式変更信号抽出部２２３と、受信無線部２０２−１と、復調・復号部２０２−２とを含む要素が通信方法変更通知受信部に相当する。
【手続補正１９】
【補正対象書類名】明細書
【補正対象項目名】０１２３
【補正方法】変更
【補正の内容】
【０１２３】
図１１の端末構成図において、アンテナ部２０１からの受信信号は、受信無線部２０２−１においてベースバンド信号に変更され、復調・復号部２０２−２において復調・復号される。ＣＳＧアクセス制限解除信号抽出部２２１は、受信部２０２から出力された信号からＣＳＧアクセス制限解除信号を抽出する。また、ＣＳＧアクセス制限解除信号抽出部２２１は、抽出されたＣＳＧアクセス制限解除信号をＣＳＧ接続制御部２１８に出力する。
【手続補正２０】
【補正対象書類名】明細書
【補正対象項目名】０１２６
【補正方法】変更
【補正の内容】
【０１２６】
なお、これ移行の処理は、上述した変形例２の処理と同様に動作する。また、図１１には、ＣＳＧアクセス制限開始信号抽出部２２２の代わりに通信方式変更信号抽出部２２３を設けているが、これに限定されるものではなく、例えばＣＳＧ通信から通常通信への通信方式の変更に加え、通常通信からＣＳＧ通信への変更を通知することにし、ＣＳＧアクセス制限開始信号抽出部２２２と同等の機能を有していてもよい。
【手続補正２１】
【補正対象書類名】明細書
【補正対象項目名】０１２７
【補正方法】変更
【補正の内容】
【０１２７】
＜上記第１の実施形態に対応するハンドオーバのシーケンス＞
次に、上述した第１の実施形態において、ＣＳＧ通信の解除を受けて、他の基地局に接続していた端末２００が、ターゲット基地局５００へハンドオーバする場合のシーケンスについて、図を用いて説明する。図１２は、第１の実施形態に対応するハンドオーバのシーケンスである。なお、図１２の例では、端末（ＵＥ）２００と、２つの基地局であるソース基地局（Ｓｏｕｒｃｅ  ＨｅＮＢ）１００と、ターゲット基地局（Ｔａｒｇｅｔ  ＨｅＮＢ）５００と、上位装置であるＭＭＥ３００と、ＨｅＮＢ  ＧＷ４００とを有する無線システムの場合について説明する。
【手続補正２２】
【補正対象書類名】明細書
【補正対象項目名】０１２９
【補正方法】変更
【補正の内容】
【０１２９】
次に、端末（ＵＥ）２００は、接続可能なＣＳＧリスト（例えば、Ｗｈｉｔｅ  ｌｉｓｔ）のＣＳＧ  ＩＤを持つフェムトセル（Ｆｅｍｔｏ  ｃｅｌｌ）に近づいたことを接続中の基地局（Ｓｏｕｒｃｅ  ＨｅＮＢ）１００に通知する（Ｓ３２）。
【手続補正２３】
【補正対象書類名】明細書
【補正対象項目名】０１３６
【補正方法】変更
【補正の内容】
【０１３６】
ハンドオーバ要求を受信したターゲット基地局５００は、ＨＯの可否を判断し、可能と判断した場合は、上述した逆のルートでハンドオーバ許可（ＨＯ  ｒｅｑｕｅｓｔ  Ａｃｋ）をＨｅＮＢ  ＧＷ４００を介してＭＭＥ３００に通知する（Ｓ４１，Ｓ４２）。ＭＭＥ３００は、ターゲット基地局５００からのハンドオーバ許可を受信すると、ハンドオーバコマンドを、ソース基地局１００を介して端末２００に通知する（Ｓ４４）。その後、ＥＴＷＳメッセージの配信が行われる。
【手続補正２４】
【補正対象書類名】明細書
【補正対象項目名】０１３８
【補正方法】変更
【補正の内容】
【０１３８】
図１３に示すシーケンスは、上述した図１２に示す端末（ＵＥ）２００と、２つの基地局であるソース基地局（Ｓｏｕｒｃｅ  ＨｅＮＢ）１００と、ターゲット基地局（Ｔａｒｇｅｔ  ＨｅＮＢ）５００と、上位装置であるＭＭＥ３００と、ＨｅＮＢ  ＧＷ４００との他に、ＣＢＣ（Ｃｅｌｌ  Ｂｒｏａｄｃａｓｔ  Ｃｅｎｔｅｒ）６００及びＣＢＥ（Ｃｅｌｌ  Ｂｒｏａｄｃａｓｔ  Ｅｎｔｉｔｙ）７００を有する無線システムの場合について説明する。
【手続補正２５】
【補正対象書類名】明細書
【補正対象項目名】０１４１
【補正方法】変更
【補正の内容】
【０１４１】
また、ＭＭＥ３００は、配信エリアを確認し（Ｓ５６）、ＴＡＩ（Ｔｒａｃｋｉｎｇ  Ａｒｅａ  Ｉｄｅｎｔｉｆｉｅｒ）のリストが含まれている場合は、該当するＴＡＩエリアに属する基地局（以下、基地局の一例として「ソース基地局１００」とする）にのみ、ＨｅＮＢ  ＧＷ４００を介してＷｒｉｔｅ−Ｒｅｐｌａｃｅ  Ｒｅｑｕｅｓｔ  ｍｅｓｓａｇｅを転送する（Ｓ５７，Ｓ５８）。なお、Ｓ５８の処理において、ＭＭＥ３００は、ＴＡＩのリストが設定されていない場合、そのＭＭＥ配下の全ての基地局に対してＷｒｉｔｅ−Ｒｅｐｌａｃｅ  Ｒｅｑｕｅｓｔ  ｍｅｓｓａｇｅを転送する。
【手続補正２６】
【補正対象書類名】明細書
【補正対象項目名】０１４２
【補正方法】変更
【補正の内容】
【０１４２】
次に、ＭＭＥ３００からのＷｒｉｔｅ−Ｒｅｐｌａｃｅ  Ｒｅｑｕｅｓｔ  ｍｅｓｓａｇｅを受信したソース基地局１００は、Ｗｒｉｔｅ−Ｒｅｐｌａｃｅ  Ｒｅｑｕｅｓｔ  ｍｅｓｓａｇｅに設定されている情報を基に配信エリアを決定し（Ｓ５９）、決定した配信エリアに存在する端末（ＵＥ）２００に対してページング信号（ＥＴＷＳ）の送信（Ｓ６０）、及び報知情報による同報配信を行う（Ｓ６１）。
【手続補正２７】
【補正対象書類名】明細書
【補正対象項目名】０１４７
【補正方法】変更
【補正の内容】
【０１４７】
＜シーケンス：ハンドオーバなしの場合＞
ここで、図１４は、ＣＳＧでの通信を実施中のＨｅＮＢにハンドオーバなしで直接接続する例を示すシーケンスである。「ＣＳＧでの通信」とは、「ＣＳＧ機能を用いた通信」を意味する。図１４の処理では、基地局の一例としてのターゲット基地局５００と、端末２００との間の処理を示している。
【手続補正２８】
【補正対象書類名】明細書
【補正対象項目名】０１５３
【補正方法】変更
【補正の内容】
【０１５３】
ここで、図１５は、変形例１におけるＣＳＧの再接続の一例を示すシーケンスである。なお、図１５の例では、端末２００と、ソース基地局１００とにおける制御例を示している。
【手続補正２９】
【補正対象書類名】明細書
【補正対象項目名】０１５７
【補正方法】変更
【補正の内容】
【０１５７】
＜変形例２におけるＣＳＧ通信解除後に再びＣＳＧ通信を実施する例＞
次に、図１６は、変形例２におけるＣＳＧの再接続の一例を示すシーケンスである。なお、図１６の例では、端末２００と、ソース基地局１００とにおける制御例を示している。また、図１６の例は、図１５の例と比較すると、最初にソース基地局１００からＣＳＧ通信再開通知を通知した後（Ｓ９１）、通信方式変更信号を端末に送信している（Ｓ９２）。なお、その後のＳ９３〜Ｓ９６の処理は、上述したＳ８２〜Ｓ８５の処理と同様である。
【手続補正３０】
【補正対象書類名】明細書
【補正対象項目名】０１７５
【補正方法】変更
【補正の内容】
【０１７５】
図２０の例では、図６と比較すると新たに共通ＣＳＧ  ＩＤ１１７を有する。つまり、図２０の基地局構成例については、ＣＳＧアクセス制限解除信号作成部１１４において、共通ＣＳＧ  ＩＤ１１７を元にＣＳＧ制御解除信号を作成し、端末２００に送信する。（なお、共通ＣＳＧ  ＩＤ１１７そのものをＣＳＧ制御解除信号としてもよい）、以下、上述と同様に動作し、ＥＴＷＳメッセージを受信する。
【手続補正３１】
【補正対象書類名】明細書
【補正対象項目名】０１８３
【補正方法】変更
【補正の内容】
【０１８３】
図２２に示す端末２００Ｆは、アンテナ部２０１と、受信部２０２と、送信部２０３と、ＨＯ制御信号抽出部２０４と、ＨＯ制御部２０５と、送受信制御部２０６と、ＥＴＷＳメッセージ抽出部２０７と、ＥＴＷＳ受信制御部２０８と、メッセージ表示部２０９と、アラーム制御部２１０と、ページング信号抽出部２１１と、測定制御信号抽出部２１２と、測定制御信号制御部２１３と、無線回線品質信号作成部２１４−１，２１４−２と、無線回線品質測定部２１５と、報知信号抽出部２１６と、近接ＣＳＧ（ＨｅＮＢ）制御信号抽出部２１７と、ＣＳＧ接続制御部２１８と、近接ＣＳＧ情報作成部２１９と、ＣＳＧアクセス制限解除信号抽出部２２１とを有する。
【手続補正３２】
【補正対象書類名】明細書
【補正対象項目名】０１８４
【補正方法】変更
【補正の内容】
【０１８４】
図２２の端末構成において、ＣＳＧアクセス制限解除信号抽出部２２１は、受信信号から共通ＣＳＧ  ＩＤを元に作成されたＣＳＧアクセス制御信号を抽出し、抽出したＣＳＧアクセス制御信号をＣＳＧ接続制御部２１８に出力する。
【手続補正３３】
【補正対象書類名】明細書
【補正対象項目名】０１８７
【補正方法】変更
【補正の内容】
【０１８７】
図２３の例では、端末（ＵＥ）２００と、２つの基地局であるソース基地局（Ｓｏｕｒｃｅ  ＨｅＮＢ）１００と、ターゲット基地局（Ｔａｒｇｅｔ  ＨｅＮＢ）５００と、上位装置であるＭＭＥ３００と、ＨｅＮＢ  ＧＷ４００とを有する無線システムの場合について説明する。
【手続補正３４】
【補正対象書類名】明細書
【補正対象項目名】０１８９
【補正方法】変更
【補正の内容】
【０１８９】
次に、端末（ＵＥ）２００は、接続可能なＣＳＧリスト（例えば、Ｗｈｉｔｅ  ｌｉｓｔ）のＣＳＧ  ＩＤを持つフェムトセル（Ｆｅｍｔｏ  ｃｅｌｌ）に近づいたことを接続中の基地局（Ｓｏｕｒｃｅ  ＨｅＮＢ）１００に通知する（Ｓ１２２）。
【手続補正３５】
【補正対象書類名】図面
【補正対象項目名】図１３
【補正方法】変更
【補正の内容】
【図１３】
2012132015.tif 000035
【国際調査報告】
2012132015.tif 000036
2012132015.tif 000037